(57)【要約】【課題】工事作業者が２線ケーブル配線時の作業効率の向上を図ること。【解決手段】制御部１０７の接続状態検出部１３４は、同期通信時の同期信号あるいは非同期時の割り込み信号を用いて２線ケーブルが正接続であるか逆接続であるかを判定する。送信データ反転部１０９は、２線ケーブルが逆接続であると判定された場合、送信データ処理部１０８から出力された上り信号を反転させる。受信データ反転部１１２は、２線ケーブルが逆接続であると判定された場合、受信ドライバ１１１から出力された下り信号を反転させる。【選択図】図３
2018006976.tif 000002
【特許請求の範囲】
【請求項１】
親機と子機とが２線ケーブルを介して接続され、前記親機と前記子機の間でデジタル通信を行うドアホンシステムであって、
前記子機は、
前記２線ケーブルが正接続であるか逆接続であるかを判定し、
前記２線ケーブルが逆接続である場合、前記親機から受信した下り信号を反転してからデータの再生を行い、かつ、上り信号を反転してから前記親機に送信し、
前記親機は、
前記２線ケーブルが逆接続であっても、前記子機から受信した前記上り信号を反転せずにデータの再生を行い、かつ、前記下り信号を反転せずに前記子機に送信する、
ドアホンシステム。
【請求項２】
親機と子機とが２線ケーブルを介して接続され、前記親機と前記子機の間でデジタル通信を行うドアホンシステムであって、
前記親機は、
前記２線ケーブルが正接続であるか逆接続であるかを判定し、
前記２線ケーブルが逆接続である場合、前記子機から受信した上り信号を反転してからデータの再生を行い、かつ、下り信号を反転してから前記子機に送信し、
前記子機は、
前記２線ケーブルが逆接続であっても、前記親機から受信した前記下り信号を反転せずにデータの再生を行い、かつ、前記上り信号を反転せずに前記親機に送信する、
ドアホンシステム。
【請求項３】
親機と子機とが２線ケーブルを介して接続され、前記親機と前記子機の間でデジタル通信を行うドアホンシステムであって、
前記子機は、
前記２線ケーブルが正接続であるか逆接続であるかを判定し、
前記２線ケーブルが逆接続である場合、上り信号を反転してから前記親機に送信し、
前記２線ケーブルが逆接続であっても、前記親機から受信した下り信号を反転せずにデータの再生を行い、
前記親機は、
前記２線ケーブルが正接続であるか逆接続であるかを判定し、
前記２線ケーブルが逆接続である場合、前記下り信号を反転してから前記子機に送信し、
前記２線ケーブルが逆接続であっても、前記子機から受信した前記上り信号を反転せずにデータの再生を行う、
ドアホンシステム。
【請求項４】
親機と子機とが２線ケーブルを介して接続され、前記親機と前記子機の間でデジタル通信を行うドアホンシステムであって、
前記子機は、
前記２線ケーブルが正接続であるか逆接続であるかを判定し、
前記２線ケーブルが逆接続であっても、上り信号を反転せずに前記親機に送信し、
前記２線ケーブルが逆接続である場合、前記親機から受信した下り信号を反転してからデータの再生を行い、
前記親機は、
前記２線ケーブルが正接続であるか逆接続であるかを判定し、
前記２線ケーブルが逆接続であっても、前記下り信号を反転せずに前記子機に送信し、
前記２線ケーブルが逆接続である場合、前記子機から受信した前記上り信号を反転してからデータの再生を行う、
ドアホンシステム。
【請求項５】
前記子機あるいは前記親機は、同期通信時の同期信号あるいは非同期時の割り込み信号を用いて前記２線ケーブルが正接続であるか逆接続であるかを判定する、
請求項１から４のいずれか一項に記載のドアホンシステム。
【請求項６】
システムが設置された際、あるいは、前記親機にかけられたリセットが解除された際に、前記子機の初期登録時、前記子機あるいは前記親機は、前記２線ケーブルが正接続であるか逆接続であるかを判定する、
請求項５に記載のドアホンシステム。
【請求項７】
システム稼働中に新規の前記子機が接続された際に、前記新規の子機の初期登録時、前記子機あるいは前記親機は、前記２線ケーブルが正接続であるか逆接続であるかを判定する、
請求項５または６に記載のドアホンシステム。
【請求項８】
スロット管理を行わないスレーブ親機であった前記親機が、スロット管理を行うマスタ親機として動作を開始する時、前記子機あるいは前記親機は、前記２線ケーブルが正接続であるか逆接続であるかを判定する、
請求項５から７のいずれか一項に記載のドアホンシステム。
【請求項９】
前記子機あるいは前記親機は、
前記２線ケーブルが正接続である場合に既知である第１のシンクパターン、および、前記第１のシンクパターンが反転された第２のシンクパターンを記憶し、
受信信号から検出されたシンクパターンが前記第１のシンクパターンと一致した場合に前記２線ケーブルが正接続であると判断し、前記検出されたシンクパターンが前記第２のシンクパターンと一致した場合に前記２線ケーブルが逆接続であると判定する、
請求項１から８のいずれか一項に記載のドアホンシステム。
【請求項１０】
第１の玄関子機および第１のドアホン親機を含む複数の端末間でデジタル通信を行う第１の通信ネットワークと、第２の玄関子機および第２のドアホン親機を含む複数の端末間でデジタル通信を行う第２の通信ネットワークと、を有し、前記第１のドアホン親機と前記第２のドアホン親機とが２線ケーブルを介して接続され、前記第１のドアホン親機と前記第２のドアホン親機の間でデジタル通信を行い、前記第１のドアホン親機及び前記第２のドアホン親機の一方がスロット管理を行うマスタ親機であり、他方がスロット管理を行わないスレーブ親機であるドアホンシステムであって、
前記スレーブ親機は、
前記２線ケーブルが正接続であるか逆接続であるかを判定し、
前記２線ケーブルが逆接続である場合、前記マスタ親機から受信した下り信号を反転してからデータの再生を行い、かつ、上り信号を反転してから前記マスタ親機に送信し、
前記マスタ親機は、
前記２線ケーブルが逆接続であっても、前記スレーブ親機から受信した前記上り信号を反転せずにデータの再生を行い、かつ、前記下り信号を反転せずに前記スレーブ親機に送信する、
ドアホンシステム。
【請求項１１】
第１の玄関子機および第１のドアホン親機を含む複数の端末間でデジタル通信を行う第１の通信ネットワークと、第２の玄関子機および第２のドアホン親機を含む複数の端末間でデジタル通信を行う第２の通信ネットワークと、を有し、前記第１のドアホン親機と前記第２のドアホン親機とが２線ケーブルを介して接続され、前記第１のドアホン親機と前記第２のドアホン親機の間でデジタル通信を行い、前記第１のドアホン親機及び前記第２のドアホン親機の一方がスロット管理を行うマスタ親機であり、他方がスロット管理を行わないスレーブ親機であるドアホンシステムであって、
前記マスタ親機は、
前記２線ケーブルが正接続であるか逆接続であるかを判定し、
前記２線ケーブルが逆接続である場合、前記スレーブ親機から受信した上り信号を反転してからデータの再生を行い、かつ、下り信号を反転してから前記スレーブ親機に送信し、
前記スレーブ親機は、
前記２線ケーブルが逆接続であっても、前記マスタ親機から受信した前記下り信号を反転せずにデータの再生を行い、かつ、前記上り信号を反転せずに前記マスタ親機に送信する、
ドアホンシステム。
【請求項１２】
第１の玄関子機および第１のドアホン親機を含む複数の端末間でデジタル通信を行う第１の通信ネットワークと、第２の玄関子機および第２のドアホン親機を含む複数の端末間でデジタル通信を行う第２の通信ネットワークと、を有し、前記第１のドアホン親機と前記第２のドアホン親機とが２線ケーブルを介して接続され、前記第１のドアホン親機と前記第２のドアホン親機の間でデジタル通信を行い、前記第１のドアホン親機及び前記第２のドアホン親機の一方がスロット管理を行うマスタ親機であり、他方がスロット管理を行わないスレーブ親機であるドアホンシステムであって、
前記スレーブ親機は、
前記２線ケーブルが正接続であるか逆接続であるかを判定し、
前記２線ケーブルが逆接続である場合、上り信号を反転してから前記マスタ親機に送信し、
前記２線ケーブルが逆接続であっても、前記マスタ親機から受信した下り信号を反転せずにデータの再生を行い、
前記マスタ親機は、
前記２線ケーブルが正接続であるか逆接続であるかを判定し、
前記２線ケーブルが逆接続である場合、前記下り信号を反転してから前記スレーブ親機に送信し、
前記２線ケーブルが逆接続であっても、前記スレーブ親機から受信した前記上り信号を反転せずにデータの再生を行う、
ドアホンシステム。
【請求項１３】
第１の玄関子機および第１のドアホン親機を含む複数の端末間でデジタル通信を行う第１の通信ネットワークと、第２の玄関子機および第２のドアホン親機を含む複数の端末間でデジタル通信を行う第２の通信ネットワークと、を有し、前記第１のドアホン親機と前記第２のドアホン親機とが２線ケーブルを介して接続され、前記第１のドアホン親機と前記第２のドアホン親機の間でデジタル通信を行い、前記第１のドアホン親機及び前記第２のドアホン親機の一方がスロット管理を行うマスタ親機であり、他方がスロット管理を行わないスレーブ親機であるドアホンシステムであって、
前記スレーブ親機は、
前記２線ケーブルが正接続であるか逆接続であるかを判定し、
前記２線ケーブルが逆接続であっても、上り信号を反転せずに前記マスタ親機に送信し、
前記２線ケーブルが逆接続である場合、前記マスタ親機から受信した下り信号を反転してからデータの再生を行い、
前記マスタ親機は、
前記２線ケーブルが正接続であるか逆接続であるかを判定し、
前記２線ケーブルが逆接続であっても、前記下り信号を反転せずに前記スレーブ親機に送信し、
前記２線ケーブルが逆接続である場合、前記スレーブ親機から受信した前記上り信号を反転してからデータの再生を行う、
ドアホンシステム。
【請求項１４】
前記スレーブ親機あるいは前記マスタ親機は、同期通信時の同期信号あるいは非同期時の割り込み信号を用いて前記２線ケーブルが正接続であるか逆接続であるかを判定する、
請求項１０から１３のいずれか一項に記載のドアホンシステム。
【請求項１５】
前記スレーブ親機あるいは前記マスタ親機は、
前記２線ケーブルが正接続である場合に既知である第１のシンクパターン、および、前記第１のシンクパターンが反転された第２のシンクパターンを記憶し、
受信信号から検出されたシンクパターンが前記第１のシンクパターンと一致した場合に前記２線ケーブルが正接続であると判断し、前記検出されたシンクパターンが前記第２のシンクパターンと一致した場合に前記２線ケーブルが逆接続であると判定する、
請求項１０から１４のいずれか一項に記載のドアホンシステム。
【請求項１６】
親機と子機が２線ケーブルを介して接続され、前記親機と前記子機の間でデジタル通信を行うドアホンシステムの通信方法であって、
前記子機が、
前記２線ケーブルが正接続であるか逆接続であるかを判定し、
前記２線ケーブルが逆接続である場合、前記親機から受信した下り信号を反転してからデータの再生を行い、かつ、上り信号を反転してから前記親機に送信し、
前記親機が、
前記２線ケーブルが逆接続であっても、前記子機から受信した前記上り信号を反転せずにデータの再生を行い、かつ、前記下り信号を反転せずに前記子機に送信する、
通信方法。
【請求項１７】
親機と子機が２線ケーブルを介して接続され、前記親機と前記子機の間でデジタル通信を行うドアホンシステムの通信方法であって、
前記親機が、
前記２線ケーブルが正接続であるか逆接続であるかを判定し、
前記２線ケーブルが逆接続である場合、前記子機から受信した上り信号を反転してからデータの再生を行い、かつ、下り信号を反転してから前記子機に送信し、
前記子機が、
前記２線ケーブルが逆接続であっても、前記親機から受信した前記下り信号を反転せずにデータの再生を行い、かつ、前記上り信号を反転せずに前記親機に送信する、
通信方法。
【請求項１８】
親機と子機が２線ケーブルを介して接続され、前記親機と前記子機の間でデジタル通信を行うドアホンシステムの通信方法であって、
前記子機が、
前記２線ケーブルが正接続であるか逆接続であるかを判定し、
前記２線ケーブルが逆接続である場合、上り信号を反転してから前記親機に送信し、
前記２線ケーブルが逆接続であっても、前記親機から受信した下り信号を反転せずにデータの再生を行い、
前記親機が、
前記２線ケーブルが正接続であるか逆接続であるかを判定し、
前記２線ケーブルが逆接続である場合、前記下り信号を反転してから前記子機に送信し、
前記２線ケーブルが逆接続であっても、前記子機から受信した前記上り信号を反転せずにデータの再生を行う、
通信方法。
【請求項１９】
親機と子機が２線ケーブルを介して接続され、前記親機と前記子機の間でデジタル通信を行うドアホンシステムの通信方法であって、
前記子機が、
前記２線ケーブルが正接続であるか逆接続であるかを判定し、
前記２線ケーブルが逆接続であっても、上り信号を反転せずに前記親機に送信し、
前記２線ケーブルが逆接続である場合、前記親機から受信した下り信号を反転してからデータの再生を行い、
前記親機が、
前記２線ケーブルが正接続であるか逆接続であるかを判定し、
前記２線ケーブルが逆接続であっても、前記下り信号を反転せずに前記子機に送信し、
前記２線ケーブルが逆接続である場合、前記子機から受信した前記上り信号を反転してからデータの再生を行う、
通信方法。
【請求項２０】
第１の玄関子機および第１のドアホン親機を含む複数の端末間でデジタル通信を行う第１の通信ネットワークと、第２の玄関子機および第２のドアホン親機を含む複数の端末間でデジタル通信を行う第２の通信ネットワークと、を有し、前記第１のドアホン親機と前記第２のドアホン親機とが２線ケーブルを介して接続され、前記第１のドアホン親機と前記第２のドアホン親機の間でデジタル通信を行い、前記第１のドアホン親機及び前記第２のドアホン親機の一方がスロット管理を行うマスタ親機であり、他方がスロット管理を行わないスレーブ親機であるドアホンシステムの通信方法であって、
前記スレーブ親機が、
前記２線ケーブルが正接続であるか逆接続であるかを判定し、
前記２線ケーブルが逆接続である場合、前記マスタ親機から受信した下り信号を反転してからデータの再生を行い、かつ、上り信号を反転してから前記マスタ親機に送信し、
前記マスタ親機が、
前記２線ケーブルが逆接続であっても、前記スレーブ親機から受信した前記上り信号を反転せずにデータの再生を行い、かつ、前記下り信号を反転せずに前記スレーブ親機に送信する、
通信方法。
【請求項２１】
第１の玄関子機および第１のドアホン親機を含む複数の端末間でデジタル通信を行う第１の通信ネットワークと、第２の玄関子機および第２のドアホン親機を含む複数の端末間でデジタル通信を行う第２の通信ネットワークと、を有し、前記第１のドアホン親機と前記第２のドアホン親機とが２線ケーブルを介して接続され、前記第１のドアホン親機と前記第２のドアホン親機の間でデジタル通信を行い、前記第１のドアホン親機及び前記第２のドアホン親機の一方がスロット管理を行うマスタ親機であり、他方がスロット管理を行わないスレーブ親機であるドアホンシステムの通信方法であって、
前記マスタ親機が、
前記２線ケーブルが正接続であるか逆接続であるかを判定し、
前記２線ケーブルが逆接続である場合、前記スレーブ親機から受信した上り信号を反転してからデータの再生を行い、かつ、下り信号を反転してから前記スレーブ親機に送信し、
前記スレーブ親機が、
前記２線ケーブルが逆接続であっても、前記マスタ親機から受信した前記下り信号を反転せずにデータの再生を行い、かつ、前記上り信号を反転せずに前記マスタ親機に送信する、
通信方法。
【請求項２２】
第１の玄関子機および第１のドアホン親機を含む複数の端末間でデジタル通信を行う第１の通信ネットワークと、第２の玄関子機および第２のドアホン親機を含む複数の端末間でデジタル通信を行う第２の通信ネットワークと、を有し、前記第１のドアホン親機と前記第２のドアホン親機とが２線ケーブルを介して接続され、前記第１のドアホン親機と前記第２のドアホン親機の間でデジタル通信を行い、前記第１のドアホン親機及び前記第２のドアホン親機の一方がスロット管理を行うマスタ親機であり、他方がスロット管理を行わないスレーブ親機であるドアホンシステムの通信方法であって、
前記スレーブ親機が、
前記２線ケーブルが正接続であるか逆接続であるかを判定し、
前記２線ケーブルが逆接続である場合、上り信号を反転してから前記マスタ親機に送信し、
前記２線ケーブルが逆接続であっても、前記マスタ親機から受信した下り信号を反転せずにデータの再生を行い、
前記マスタ親機が、
前記２線ケーブルが正接続であるか逆接続であるかを判定し、
前記２線ケーブルが逆接続である場合、前記下り信号を反転してから前記スレーブ親機に送信し、
前記２線ケーブルが逆接続であっても、前記スレーブ親機から受信した前記上り信号を反転せずにデータの再生を行う、
通信方法。
【請求項２３】
第１の玄関子機および第１のドアホン親機を含む複数の端末間でデジタル通信を行う第１の通信ネットワークと、第２の玄関子機および第２のドアホン親機を含む複数の端末間でデジタル通信を行う第２の通信ネットワークと、を有し、前記第１のドアホン親機と前記第２のドアホン親機とが２線ケーブルを介して接続され、前記第１のドアホン親機と前記第２のドアホン親機の間でデジタル通信を行い、前記第１のドアホン親機及び前記第２のドアホン親機の一方がスロット管理を行うマスタ親機であり、他方がスロット管理を行わないスレーブ親機であるドアホンシステムの通信方法であって、
前記スレーブ親機が、
前記２線ケーブルが正接続であるか逆接続であるかを判定し、
前記２線ケーブルが逆接続であっても、上り信号を反転せずに前記マスタ親機に送信し、
前記２線ケーブルが逆接続である場合、前記マスタ親機から受信した下り信号を反転してからデータの再生を行い、
前記マスタ親機が、
前記２線ケーブルが正接続であるか逆接続であるかを判定し、
前記２線ケーブルが逆接続であっても、前記下り信号を反転せずに前記スレーブ親機に送信し、
前記２線ケーブルが逆接続である場合、前記スレーブ親機から受信した前記上り信号を反転してからデータの再生を行う、
通信方法。
【発明の詳細な説明】
【技術分野】
【０００１】
本開示は、ドアホンシステムおよびその通信方法に関する。
【背景技術】
【０００２】
近年、住宅等において、例えば、宅外の玄関先に設置されたカメラ付きの子機（以下、「玄関子機」という）と、玄関子機のカメラで撮像された映像をモニタに表示する宅内の親機（以下、「ドアホン親機」という）と、からなるドアホンシステムが広く普及している。また、ドアホンシステムに、モニタを増設する場合もある（以下、「増設モニタ」という）。
【０００３】
一般的に、ドアホンシステムは、玄関子機とドアホン親機とが２線ケーブルにより接続される。また、ドアホン親機と増設モニタとが２線ケーブルにより接続される。特許文献１には、２線ケーブルで接続された玄関子機とドアホン親機との間でデジタル通信を行うドアホンシステムが記載されている。
【先行技術文献】
【特許文献】
【０００４】
【特許文献１】特開２００７−１２４２２７号公報
【発明の概要】
【発明が解決しようとする課題】
【０００５】
しかしながら、従来技術では、工事作業者が、ドアホンシステムの初期設定時、運用時、増設時に、２線ケーブルを逆接続した場合に、受信側装置でデータを復調することができなくなる。このため、逆接続を防止するために多くの労力を要し、２線ケーブル配線時の作業効率が低下するという課題を有する。
【０００６】
本開示の目的は、工事作業者が２線ケーブル配線時の作業効率の向上を図ることができるドアホンシステムおよびその通信方法を提供することである。
【課題を解決するための手段】
【０００７】
本開示のドアホンシステムは、親機と子機とが２線ケーブルを介して接続され、前記親機と前記子機の間でデジタル通信を行うドアホンシステムであって、前記子機は、前記２線ケーブルが正接続であるか逆接続であるかを判定し、前記２線ケーブルが逆接続である場合、前記親機から受信した下り信号を反転してからデータの再生を行い、かつ、上り信号を反転してから前記親機に送信し、前記親機は、前記２線ケーブルが逆接続であっても、前記子機から受信した前記上り信号を反転せずにデータの再生を行い、かつ、前記下り信号を反転せずに前記子機に送信する。
【０００８】
本開示のドアホンシステムの通信方法は、親機と子機が２線ケーブルを介して接続され、前記親機と前記子機の間でデジタル通信を行うドアホンシステムの通信方法であって、前記子機が、前記２線ケーブルが正接続であるか逆接続であるかを判定し、前記２線ケーブルが逆接続である場合、前記親機から受信した下り信号を反転してからデータの再生を行い、かつ、上り信号を反転してから前記親機に送信し、前記親機が、前記２線ケーブルが逆接続であっても、前記子機から受信した前記上り信号を反転せずにデータの再生を行い、かつ、前記下り信号を反転せずに前記子機に送信する。
【発明の効果】
【０００９】
本開示によれば、２線ケーブルが逆接続の場合、送信側装置あるいは受信側装置のいずれか一方において、データを反転してから送信／受信を行うことにより、２線ケーブルの接続状態にかかわらず受信側装置がデータを復調することができる。したがって、工事作業者は、接続状態（正接続か逆接続か）を気にすることなく、２線ケーブルを配線することができるので、２線ケーブル配線時の作業効率を上げることができる。
【図面の簡単な説明】
【００１０】
【図１】本開示の一実施の形態に係るドアホンシステムの構成を示すシステム構成図
【図２Ａ】本開示の一実施の形態に係るフレーム構成、タイムスロット構成を示すフレーム構成図
【図２Ｂ】本開示の一実施の形態に係る割り込み信号の構成図
【図３】本開示の一実施の形態に係る玄関子機の構成を示すブロック図
【図４】本開示の一実施の形態に係るドアホン親機の構成を示すブロック図
【図５】本開示の一実施の形態に係る増設モニタの構成を示すブロック図
【図６】パケットデータ（１ビット）に対する変調処理の一例を示す図
【図７】パケットデータ（複数ビット）に対する変調処理の一例を示す図
【図８】本開示の一実施の形態において使用されるプリアンブルデータの一例を示す図
【図９】本開示の一実施の形態に係る玄関子機の受信データ処理部の内部構成を示すブロック図
【図１０】本開示の一実施の形態に係る玄関子機の同期検出処理の一例を示す図
【図１１】本開示の一実施の形態に係る玄関子機のユニークパターンの検出を説明する図
【図１２】本開示の一実施の形態に係る２線ケーブルの反転検出処理の動作の一例を示すフローチャート
【図１３】本開示の一実施の形態に係るリセット解除後の初期登録のシーケンス図（子機登録、割り込み信号使用）
【図１４】本開示の一実施の形態に係るリセット解除後の初期登録のシーケンス図（子機登録、同期信号使用）
【図１５】本開示の一実施の形態に係るリセット解除後の初期登録のシーケンス図（親機登録、割り込み信号使用）
【図１６】本開示の一実施の形態に係るリセット解除後の初期登録のシーケンス図（親機登録、同期信号使用）
【図１７】本開示の一実施の形態に係る新規接続時の初期登録のシーケンス図（子機登録、割り込み信号使用）
【図１８】本開示の一実施の形態に係る新規接続時の初期登録のシーケンス図（子機登録、同期信号使用）
【図１９】本開示の一実施の形態に係る待機状態から通信状態までのシーケンス図
【図２０】本開示の一実施の形態に係る玄関子機の動作の一例を示すフローチャート
【図２１】本開示の一実施の形態に係るドアホン親機の動作の一例を示すフローチャート
【図２２】本開示の一実施の形態に係るドアホン親機の通常動作時のルーティング制御の具体例を示す図
【図２３】本開示の一実施の形態に係るドアホン親機のルーティング制御部の内部構成を示す図
【図２４】本開示の一実施の形態に係るドアホン親機の初期登録時のルーティング制御の具体例を示す図
【図２５】２線ケーブルが正接続の場合の様子を示す模式図
【図２６】２線ケーブルが逆接続の場合の様子を示す第１の模式図
【図２７】２線ケーブルが逆接続の場合の様子を示す第２の模式図
【図２８】２線ケーブルが逆接続の場合の様子を示す第３の模式図
【図２９】２線ケーブルが逆接続の場合の様子を示す第４の模式図
【発明を実施するための形態】
【００１１】
以下、本開示の実施の形態について、図面を参照して詳細に説明する。
＜システムの概要＞
まず、本開示の一実施の形態に係るドアホンシステムの概要について説明する。
【００１２】
図１は、本実施の形態に係るドアホンシステムの構成の一例を示すシステム構成図である。本実施の形態に係るドアホンシステムは、例えば、親世帯用と子世帯用とに住居スペースが分かれた、二世帯住宅に設置されるシステムである。
【００１３】
図１に示すように、ドアホンシステム１は、例えば親世帯用の住居スペースに配置される第１のドアホンシステム１ａと、例えば子世帯用の住居スペースに配置される第２のドアホンシステム１ｂと、これらを接続する通信ケーブル１１と、を有する。
【００１４】
第１のドアホンシステム１ａは、２つの第１の玄関子機１００ａ−１、１００ａ−２、第１のドアホン親機２００ａおよび第１の増設モニタ３００ａを有する。第１の玄関子機１００ａ−１、１００ａ−２および第１の増設モニタ３００ａは、それぞれ、通信ケーブル１０１ａ−１、１０１ａ−２、３０１ａを介して第１のドアホン親機２００ａに接続されている。第１のドアホンシステム１ａは、第１のドアホン親機２００ａによるデータ転送機能により、第１のドアホン親機２００ａを中心としたスター型の通信ネットワークを形成している。
【００１５】
第２のドアホンシステム１ｂは、２つの第２の玄関子機１００ｂ−１、１００ｂ−２、第２のドアホン親機２００ｂおよび第２の増設モニタ３００ｂを有する。第２の玄関子機１００ｂ−１、１００ｂ−２および第２の増設モニタ３００ｂは、それぞれ、通信ケーブル１０１ｂ−１、１０１ｂ−２、３０１ｂを介して第１のドアホン親機２００ｂに接続されている。第２のドアホンシステム１ｂは、第２のドアホン親機２００ｂによるデータ転送機能により、第２のドアホン親機２００ｂを中心としたスター型の通信ネットワークを形成している。
【００１６】
通信ケーブル１１は、第１のドアホン親機２００ａと第２のドアホン親機２００ｂとを接続している。通信ケーブル１１、１０１ａ−１、１０１ａ−２、３０１ａ、１０１ｂ−１、１０１ｂ−２、３０１ｂのそれぞれは、１対の銅線から成る２線ケーブルである。
【００１７】
なお、以下では、第１のドアホン親機２００ａおよび第２のドアホン親機２００ｂは、同一の構成を有するため、適宜「ドアホン親機２００」として纏めて説明を行う。また、第１の玄関子機１００ａ−１、１００ａ−２および第２の玄関子機１００ｂ−１、１００ｂ−２は、同一の構成を有するため、適宜「玄関子機１００」として纏めて説明を行う。また、第１の増設モニタ３００ａおよび第２の増設モニタ３００ｂは、同一の構成を有するため、適宜「増設モニタ３００」として纏めて説明を行う。
【００１８】
玄関子機１００は、親世帯の住居スペースおよび子世帯の住居スペースのそれぞれの玄関先に設けられる。ドアホン親機２００および増設モニタ３００は、親世帯の住居スペースおよび子世帯の住居スペースのそれぞれの宅内に設けられ、壁に固定されたり、テーブルまたは台の上などに載置されたりする。
【００１９】
玄関子機１００は、呼出ボタンの操作等の所定の操作が行われたとき、呼出信号を含む制御信号を生成し、玄関周辺の映像を撮影して映像データを生成し、玄関周辺の音声を取得して音声データを生成する。また、玄関子機１００は、ドアホン親機２００から受信した音声データおよび制御情報に従って、音声の出力等を行う。
【００２０】
ドアホン親機２００は、玄関子機１００と通信を行い、玄関子機１００から制御信号、映像データ、および音声データを受信し、音声データおよび制御情報を送信する。また、ドアホン親機２００は、増設モニタ３００と通信を行う。そして、ドアホン親機２００は、玄関子機１００から受信した制御信号、映像データおよび音声データ（以下、適宜「各種子機データ」という）を増設モニタ３００へ転送し、増設モニタ３００から受信した音声データおよび制御情報を玄関子機１００へ転送する。
【００２１】
ドアホン親機２００は、玄関子機１００から呼出信号を受信したとき、呼出音の出力を行うと共に、玄関周辺の映像および音声を出力する。そして、応答ボタンの操作等の所定の操作が行われると、ドアホン親機２００周辺の音声を取得して音声データを生成し、制御情報と共に玄関子機１００へ送信する。
【００２２】
また、ドアホン親機２００は、ドアホンシステム１の他のドアホン親機２００と通信を行い、玄関子機１００から受信した各種子機データを他のドアホン親機２００へ転送し、他のドアホン親機２００から受信した各種子機データに対し、音声／映像出力や転送等の所定の処理を行う。
【００２３】
増設モニタ３００は、ドアホン親機２００から呼出信号を受信したとき、呼出音の出力を行うと共に、玄関周辺の映像および音声を出力する。そして、応答ボタンの操作等の所定の操作が行われると、増設モニタ３００周辺の音声を取得して音声データを生成し、制御情報と共にドアホン親機２００へ送信する。
【００２４】
なお、以下の説明において、スロット管理を行うドアホン親機２００を「マスタ親機」と称し、スロット管理を行わないドアホン親機２００を「スレーブ親機」と称する。そして、玄関子機１００あるいは増設モニタ３００からドアホン親機２００への方向、および、スレーブ親機からマスタ親機への方向を「上り方向」といい、ドアホン親機２００から玄関子機１００あるいは増設モニタ３００への方向、および、マスタ親機からスレーブ親機への方向を「下り方向」という。また、上り方向に送信されるパケット、信号をそれぞれ「上りパケット」、「上り信号」といい、下り方向に送信されるパケット、信号をそれぞれ「下りパケット」、「下り信号」という。
【００２５】
＜フレーム構成、タイムスロット構成＞
次に、本実施の形態に係る同期通信時のフレーム構成、タイムスロット構成について図２Ａを用いて説明する。図２Ａに示すように、各フレームは、48000bitsの領域を有し、10ms周期、4.8Mbpsのビットレートであり、２４個のタイムスロットに分割される。したがって、各タイムスロットは、2000bits=250bytesの領域を有し、0.416ms周期、4.8Mbpsのビットレートになる。
【００２６】
各タイムスロットは、52byteのガードスペース（Guard）、4byteのプリアンブルフィールド、2byteのシンクフィールド（Sync）、32byteの制御データフィールド、160byteのユーザデータフィールドに分けられている。
【００２７】
ガードスペースは、伝播遅延時間差やクロックジッタ等によるタイムスロットの衝突を避けるための時間である。プリアンブルフィールドには、所定のユニークパターンを有するプリアンブルデータ（後述）が付加される。シンクフィールドには、所定のシンクパターンが付加される。制御データフィールドには、制御データが付加される。ユーザデータフィールドには、画像データおよび音声データが付加される。ここでシンクパターンとは、シンクフィールドに配置された既知のデータあるいはデータ列であって、受信データ受信時の同期を確立するために用いられ、受信データが正確なタイミングで受信されたことを確認するための予め規定した既知のデータパターンである。
【００２８】
＜割り込み信号の構成＞
次に、本実施の形態に係る非同期通信時の割り込み信号の構成について図２Ｂを用いて説明する。
【００２９】
図２Ｂに示すように、割り込み信号は、4byteのプリアンブルフィールド、2byteのシンクフィールド（Sync）、32byteの制御データフィールドに分けられている。さらに、図２Ｂに示す割り込み信号には、将来の拡張用として、30byteのユーザデータフィールドが設けられている。
【００３０】
割り込み信号のプリアンブルデータおよびシンクパターンは、図２Ａに示した同期通信時のタイムスロットと同一のものである。これにより、同期通信時と非同期通信時とで受信部等を共用できるため、コストを抑えることができる。
【００３１】
割り込み信号の制御データフィールドには、メッセージ種別（同期要求等）、送信元機器番号（ＩＤ）等の制御情報が書き込まれる。割り込み信号のユーザデータフィールドは、機器異常情報（機器の異常を検知したことを示す情報）等、メッセージ種別に応じた詳細情報を通知するフィールドとして使用しても良い。
【００３２】
なお、図２Ｂに示す割り込み信号は、接続機器の初期登録時にも使用される。
【００３３】
＜玄関子機の構成＞
次に、玄関子機１００の構成について、図３のブロック図を用いて説明する。図３に示すように、玄関子機１００は、ケーブル接続部１０１、キー入力部１０２、スピーカ１０３、マイク１０４、音声Ｉ／Ｆ（インターフェイス）部１０５、カメラ部１０６および制御部１０７を有する。制御部１０７は、内部に、第１クロック生成部１３１、パケット生成部１３２、データ再生部１３３、接続状態検出部１３４を有する。また、玄関子機１００は、送信データ処理部１０８、送信データ反転部１０９、送信ドライバ１１０、受信ドライバ１１１、受信データ反転部１１２、受信データ処理部１１３、識別子記憶部１１４を有する。
【００３４】
ケーブル接続部１０１は、２線ケーブル用の接続端子を含み、２線ケーブルの玄関側の一端と、受信ドライバ１１１および送信ドライバ１１０との間を、信号を伝送可能な状態で接続する。なお、２線ケーブルの他端は、ドアホン親機２００に接続される。
【００３５】
キー入力部１０２は、呼出ボタンを含み、呼出ボタンが操作されたとき、その旨を示す信号を制御部１０７に出力する。
【００３６】
スピーカ１０３は、音声Ｉ／Ｆ部１０５から出力されたアナログ音声データを、音声に変換して出力する。
【００３７】
マイク１０４は、周囲の音声を集音してアナログ音声データに変換し、音声Ｉ／Ｆ部１０５に出力する。
【００３８】
音声Ｉ／Ｆ部１０５は、制御部１０７から出力されたデジタル音声データを、アナログ音声データに変換し、信号レベルを調整して、スピーカ１０３に出力する。また、音声Ｉ／Ｆ部１０５は、マイク１０４から出力されたアナログ音声データを、信号レベルを調整し、デジタル音声データに変換して、制御部１０７に出力する。かかるアナログ／デジタル変換は、Ａ／Ｄ，Ｄ／Ａ変換器（図示せず）により行われる。
【００３９】
なお、音声Ｉ／Ｆ部１０５は、マイク１０４から出力されたアナログ音声データをデジタル変換したデータに対して、所定の音声圧縮処理を行って得られるデータを、デジタル音声データとして制御部１０７に出力してもよい。また、音声Ｉ／Ｆ部１０５は、制御部１０７から出力されたデジタル音声データが所定の音声圧縮処理を行って得られたデータである場合、当該データに対して所定の音声伸張処理を行ってから、デジタル／アナログ変換を行う。
【００４０】
カメラ部１０６は、デジタルカメラを含み、玄関の映像を撮影し、デジタル映像データを生成して、制御部１０７に出力する。なお、カメラ部１０６は、エンコーダモジュールを搭載していてもよい。すなわち、カメラ部１０６は、デジタルカメラから出力された映像データに対してＨ.２６４等の所定の動画圧縮処理を行って得られるデータを、デジタル映像データとして制御部１０７に出力してもよい。
【００４１】
制御部１０７は、玄関子機１００の各部の制御を行う。また、制御部１０７は、送信を許可する送信区間、および、受信を許可する受信区間を指示する切り替え制御信号（SW CON）を送信ドライバ１１０および受信ドライバ１１１に出力する。
【００４２】
制御部１０７の第１クロック生成部１３１は、受信データをサンプリングするためのクロックであって、水晶発振周波数を基準に、受信データのビットレートのｎ倍（ｎは１以上）に対応する第１周波数（例えば、48MHz（ｎ＝１０））のクロック（CLK）を生成し、受信データ処理部１１３に出力する。
【００４３】
制御部１０７のパケット生成部１３２は、映像付き通話を実現するための上りパケットを生成する。具体的には、パケット生成部１３２は、音声Ｉ／Ｆ部１０５から出力されたデジタル音声データおよびカメラ部１０６から出力されたデジタル映像データを適宜分割して各タイムスロットのユーザデータフィールドに書き込み、自機（玄関子機１００）に固有の識別子（以下、「自機ＩＤｓｌａｖｅ」という）および通信相手のドアホン親機２００の識別子（以下、「ＩＤｍａｓｔｅｒ」という）を含む制御データを各タイムスロットの制御データフィールドに書き込む。さらに、パケット生成部１３２は、各タイムスロットに、プリアンブルデータ、シンクパターンを書き込み、上りパケット（送信データ）を生成する。さらに、パケット生成部１３２は、送信用のイネーブル信号（SSCS）および送信用の第２周波数（例えば、4.8MHz）のクロック（SSCK）を生成する。そして、パケット生成部１３２は、上りパケットを、送信用のイネーブル信号（SSCS）およびクロック（SSCK）と同期させて、送信データ処理部１０８に出力する。なお、クロック（SSCK）は、水晶発振周波数を基準にして生成される。
【００４４】
なお、玄関子機１００とドアホン親機２００との間でデータが送受されない待機状態では、パケット生成部１３２は、上りパケットを生成しない。また、待機状態（非同期通信時）において、呼出ボタンが操作される等の所定のイベントが発生すると、パケット生成部１３２は、プリアンブルデータ、シンクパターン、制御データを書き込んだ上りパケット（割り込み信号）を生成する。なお、非同期通信時の割り込み信号において使用されるプリアンブルとシンクパターンは、同期通信時に使用されるものと同一である。
【００４５】
制御部１０７のデータ再生部１３３は、受信データ処理部１１３からイネーブル信号（SSCS）を入力すると、受信データ処理部１１３から出力された第２周波数のクロック（SSCK）を使用し、受信データ処理部１１３から出力された下りパケットを再生し、再生した下りパケット（復号データ）に含まれるデジタル音声データを音声Ｉ／Ｆ部１０５に出力し、シンクパターンを接続状態検出部１３４に出力する。なお、データ再生部１３３は、初期登録時に、下りパケットに含まれる自機ＩＤｓｌａｖｅおよびＩＤｍａｓｔｅｒを識別子記憶部１１４に記憶させる。
【００４６】
また、データ再生部１３３は、待機状態（非同期通信時）において所定のイベントが発生し、下り信号（割り込み信号）を入力した場合、下り信号を復調して下りパケットを取得し、下りパケットに含まれるシンクパターンを接続状態検出部１３４に出力する。データ再生部１３３は、接続状態検出部１３４において正確に割り込み信号を捕捉できたことを確認した後、割り込み信号の制御データを抽出する。制御データが同期要求であれば、玄関子機１００は、ドアホン親機２００との同期処理に移行する。
【００４７】
制御部１０７の接続状態検出部１３４は、２線ケーブルが正接続である場合のチェック用シンクパターン（以下、「正接続チェック用シンクパターン」という（例えば、16bit全てが「０」））、および、正接続チェック用シンクパターンの逆のパターンであって、２線ケーブルが逆接続である場合のチェック用シンクパターン（以下、「逆接続チェック用シンクパターン」という（例えば、16bit全てが「１」））を記憶している。そして、接続状態検出部１３４は、データ再生部１３３から出力された受信データのシンクパターンを、正接続チェック用シンクパターンおよび逆接続チェック用シンクパターンと照合する。接続状態検出部１３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部１３４は、判定結果を示す反転制御信号（INV CON）を、送信データ反転部１０９および受信データ反転部１１２に出力する。
【００４８】
送信データ処理部１０８は、パケット生成部１３２からイネーブル信号（SSCS）を入力すると、パケット生成部１３２から出力された第２周波数のクロック（SSCK）を使用し、パケット生成部１３２から出力された上りパケットのデータに対して変調処理を行って上り信号を生成し、送信データ反転部１０９に出力する。なお、送信データ処理部１０８の変調処理の詳細（具体例）については後述する。
【００４９】
送信データ反転部１０９は、接続状態検出部１３４において２線ケーブルが逆接続であると判定された場合、送信データ処理部１０８から出力された上り信号を反転させて送信ドライバ１１０に出力する。一方、送信データ反転部１０９は、接続状態検出部１３４において２線ケーブルが正接続であると判定された場合、送信データ処理部１０８から出力された上り信号をそのまま送信ドライバ１１０に出力する。
【００５０】
送信ドライバ１１０は、制御部１０７からの切り替え制御信号（SW CON）によって指示された送信区間において、上り信号を、ケーブル接続部１０１を介してドアホン親機２００に送信する。
【００５１】
受信ドライバ１１１は、ドアホン親機２００から送信された下り信号を、ケーブル接続部１０１を介して受信する。そして、受信ドライバ１１１は、制御部１０７からの切り替え制御信号（SW CON）によって指示された受信区間において、下り信号を、受信データ反転部１１２に出力する。
【００５２】
受信データ反転部１１２は、接続状態検出部１３４において２線ケーブルが逆接続であると判定された場合、受信ドライバ１１１から出力された下り信号を反転させて受信データ処理部１１３に出力する。一方、受信データ反転部１１２は、接続状態検出部１３４において２線ケーブルが正接続であると判定された場合、受信ドライバ１１１から出力された下り信号をそのまま受信データ処理部１１３に出力する。
【００５３】
受信データ処理部１１３は、第１クロック生成部１３１から出力された第１周波数のクロック（CLK）を使用し、受信ドライバ１１１から出力された下り信号に含まれるプリアンブルデータを用いてドアホン親機２００との同期（受信データの各ビットの先頭のタイミング）を検出する。そして、受信データ処理部１１３は、プリアンブルデータのユニークパターンを検出したタイミングで、データ再生動作を許可するイネーブル信号（SSCS）をデータ再生部１３３に出力する。
【００５４】
また、受信データ処理部１１３は、受信データ反転部１１２から出力された下り信号（受信データ）を復号し、復号データをデータ再生部１３３に出力する。また、受信データ処理部１１３は、第１クロック生成部１３１から出力された第１周波数のクロック（CLK）を基準に、受信データのビットレートに対応する第２周波数（例えば、4.8MHz）のクロック（SSCK）を生成し、データ再生部１３３に出力する。なお、受信データ処理部１１３の構成の詳細については、後述する。
【００５５】
識別子記憶部１１４は、ドアホン親機２００から受信した自機ＩＤｓｌａｖｅおよびＩＤｍａｓｔｅｒを記憶する。
【００５６】
＜ドアホン親機の構成＞
次に、ドアホン親機２００の構成について、図４のブロック図を用いて説明する。図４に示すように、ドアホン親機２００は、ケーブル接続部２０１、キー入力部２０２、スピーカ２０３、マイク２０４、音声Ｉ／Ｆ部２０５、ディスプレイ部２０６および制御部２０７を有する。制御部２０７は、内部に、第１クロック生成部２３１、パケット生成部２３２、データ再生部２３３、接続状態検出部２３４を有する。また、ドアホン親機２００は、送信データ処理部２０８、送信データ反転部２０９、送信ドライバ２１０、受信ドライバ２１１およびルーティング制御部２１２、受信データ処理部２１３、識別子記憶部２１４を有する。なお、ドアホン親機２００は、ケーブル接続部２０１、送信ドライバ２１０および受信ドライバ２１１を、Ｎ個（Ｎは自然数）有する。
【００５７】
ケーブル接続部２０１−ｉ（ｉは１からＮまでの何れかの整数）は、２線ケーブル用の接続端子を含み、２線ケーブルの室内側の一端と、送信ドライバ２１０−ｉおよび受信ドライバ２１１−ｉとの間を、信号を伝送可能な状態で接続する。なお、各２線ケーブルの他端は、玄関子機１００、増設モニタ３００あるいは他のドアホンシステムの親機に接続される。図４では、ケーブル接続部２０１−１が、他のドアホンシステムの親機に接続されている場合を例示している。
【００５８】
キー入力部２０２は、応答ボタンを含み、応答ボタンが操作されたとき、その旨を示す信号を制御部２０７に出力する。
【００５９】
スピーカ２０３は、音声Ｉ／Ｆ部２０５から出力されたアナログ音声データを、音声に変換して出力する。
【００６０】
マイク２０４は、周囲の音声を集音してアナログ音声データに変換し、音声Ｉ／Ｆ部２０５に出力する。
【００６１】
音声Ｉ／Ｆ部２０５は、制御部２０７から出力されたデジタル音声データを、アナログ音声データに変換し、信号レベルを調整して、スピーカ２０３に出力する。また、音声Ｉ／Ｆ部２０５は、マイク２０４から出力されたアナログ音声データを、信号レベルを調整し、デジタル音声データに変換して、制御部２０７に出力する。かかるアナログ／デジタル変換は、Ａ／Ｄ，Ｄ／Ａ変換器（図示せず）により行われる。
【００６２】
なお、音声Ｉ／Ｆ部２０５は、マイク２０４から出力されたアナログ音声データをデジタル変換したデータに対して、所定の音声圧縮処理を行って得られるデータを、デジタル音声データとして制御部２０７に出力してもよい。また、音声Ｉ／Ｆ部２０５は、制御部２０７から出力されたデジタル音声データが所定の音声圧縮処理を行って得られたデータである場合、当該データに対して所定の音声伸張処理を行ってから、デジタル／アナログ変換を行う。
【００６３】
ディスプレイ部２０６は、液晶ディスプレイを含み、制御部２０７から出力されたデジタル映像データを再生し、玄関の映像を表示する。なお、制御部２０７から出力されたデジタル映像データが所定の動画圧縮処理を行って得られたデータである場合、当該データに対して所定の動画伸張処理を行って、映像表示を行う。
【００６４】
制御部２０７は、ドアホン親機２００の各部の制御を行う。また、制御部２０７は、送信を許可する送信区間、および、受信を許可する受信区間を指示する切り替え制御信号（SW CON）を各送信ドライバ２１０−ｉ、各受信ドライバ２１１−ｉおよびルーティング制御部２１２に出力する。
【００６５】
制御部２０７の第１クロック生成部２３１は、受信データをサンプリングするためのクロックであって、水晶発振周波数を基準に、受信データのビットレートのｎ倍に対応する第１周波数（例えば、48MHz（ｎ＝１０））のクロック（CLK）を生成し、受信データ処理部２１３に出力する。
【００６６】
制御部２０７のパケット生成部２３２は、映像付き通話を実現するための下りパケットを生成する。具体的には、パケット生成部２３２は、音声Ｉ／Ｆ部２０５から出力されたデジタル音声データを適宜分割して各タイムスロットのユーザデータフィールドに書き込み、自機（ドアホン親機２００）に固有の識別子（以下、「自機ＩＤｍａｓｔｅｒ」という）および通信相手の機器の識別子を含む制御データを各タイムスロットの制御データフィールドに書き込む。さらに、パケット生成部２３２は、各タイムスロットに、プリアンブルデータ、シンクパターンを書き込み、下りパケット（送信データ）を生成する。さらに、パケット生成部２３２は、送信用のイネーブル信号（SSCS）および送信用の第２周波数（例えば、4.8MHz）のクロック（SSCK）を生成する。そして、パケット生成部２３２は、下りパケットを、送信用のイネーブル信号（SSCS）およびクロック（SSCK）と同期させて、送信データ処理部２０８に出力する。なお、クロック（SSCK）は、水晶発振周波数を基準にして生成される。
【００６７】
また、パケット生成部２３２は、ドアホン親機２００の動作あるいは玄関子機１００の動作に関する制御データを、玄関子機１００への送信の対象となるデータとして送信データ処理部２０８に出力してもよい。かかる制御データには、例えば、ドアホン親機２００から玄関子機１００のカメラ動作（データレート、パン、チルト、ライト、シャッター、およびフィルタ等の動作）や、玄関子機１００に備えられた各種センサデバイスの動作を、ドアホン親機２００から制御するための制御信号が含まれる。また、かかる制御データには、玄関子機１００に備えられた無線通信回路等（図示せず）を介して屋外に配置されたデバイス（門の電子鍵等）の動作を制御するための制御信号が含まれる。
【００６８】
なお、玄関子機１００（あるいは増設モニタ３００）とドアホン親機２００との間でデータが送受されない待機状態では、パケット生成部２３２は、下りパケットを生成しない。また、待機状態（非同期通信時）において、応答ボタンが操作される等の所定のイベントが発生すると、パケット生成部２３２は、プリアンブルデータ、シンクパターン、制御データを書き込んだ下りパケット（割り込み信号）を生成する。なお、非同期通信時の割り込み信号において使用されるプリアンブルとシンクパターンは、同期通信時に使用されるものと同一である。
【００６９】
制御部２０７のデータ再生部２３３は、受信データ処理部２１３からイネーブル信号（SSCS）を入力すると、受信データ処理部２１３から出力された第２周波数のクロック（SSCK）を使用し、受信データ処理部２１３から出力された上りパケットを再生し、再生した上りパケット（復号データ）に含まれるデジタル音声データを音声Ｉ／Ｆ部２０５に出力し、デジタル映像データをディスプレイ部２０６に出力し、シンクパターンを接続状態検出部２３４に出力する。
【００７０】
また、データ再生部２３３は、待機状態（非同期通信時）において所定のイベントが発生し、上り信号（割り込み信号）を入力した場合、上り信号を復調して上りパケットを取得し、上りパケットに含まれるシンクパターンを接続状態検出部２３４に出力する。データ再生部２３３は、接続状態検出部２３４において正確に割り込み信号を捕捉できたことを確認した後、割り込み信号の制御データを抽出する。制御データが同期要求であれば、ドアホン親機２００は、玄関子機１００あるいは増設モニタ３００との同期処理に移行する。
【００７１】
制御部２０７の接続状態検出部２３４は、正接続チェック用シンクパターンおよび逆接続チェック用シンクパターンを記憶し、データ再生部２３３から出力された受信データのシンクパターンを、正接続チェック用シンクパターンおよび逆接続チェック用シンクパターンと照合する。接続状態検出部２３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部２３４は、判定結果を示す反転制御信号（INV CON）を、送信データ反転部２０９に出力する。
【００７２】
送信データ処理部２０８は、パケット生成部２３２からイネーブル信号（SSCS）を入力すると、パケット生成部２３２から出力された第２周波数のクロック（SSCK）を使用し、パケット生成部２３２から出力された下りパケットのデータに対して変調処理を行って下り信号を生成し、ルーティング制御部２１２に出力する。
【００７３】
送信データ反転部２０９は、接続状態検出部２３４において２線ケーブルが逆接続であると判定された場合、ルーティング制御部２１２から出力された下り信号を反転させて送信ドライバ２１０−１に出力する。一方、送信データ反転部２０９は、接続状態検出部２３４において２線ケーブルが正接続であると判定された場合、ルーティング制御部２１２から出力された下り信号をそのまま送信ドライバ２１０−１に出力する。
【００７４】
送信ドライバ２１０−１は、制御部２０７からの切り替え制御信号（SW CON）によって指示された送信区間において、下り信号を、ケーブル接続部２０１−１を介して他のドアホンシステムの親機に送信する。送信ドライバ２１０−ｉ（この場合、ｉは１以外）は、制御部２０７からの切り替え制御信号（SW CON）によって指示された送信区間において、下り信号を、ケーブル接続部２０１−ｉを介して玄関子機１００あるいは増設モニタ３００に送信する。
【００７５】
受信ドライバ２１１−ｉは、玄関子機１００、増設モニタ３００あるいは他のドアホンシステムの親機から送信された上り信号を、ケーブル接続部２０１−ｉを介して受信する。そして、受信ドライバ２１１−ｉは、制御部２０７からの切り替え制御信号（SW CON）によって指示された受信区間において、上り信号を、ルーティング制御部２１２に出力する。
【００７６】
ルーティング制御部２１２は、玄関子機１００から送信され、受信ドライバ２１１−ｉから出力された上り信号を、親機２００宛である場合には受信データ処理部２１３に出力し、増設モニタ３００宛である場合には対応の送信ドライバ２１０−ｉに出力する。また、ルーティング制御部２１２は、送信データ処理部２０８から出力された玄関子機１００宛の下り信号を、対応の送信ドライバ２１０−ｉに出力する。また、ルーティング制御部２１２は、増設モニタ３００から送信され、受信ドライバ２１１−ｉから出力された玄関子機１００宛の上り信号を、対応の送信ドライバ２１０−ｉに出力する。また、ルーティング制御部２１２は、ルーティング（通信ルートの有効／無効）の制御を行う。なお、ルーティング制御部２１２が行うルーティング制御の具体例については後述する。
【００７７】
受信データ処理部２１３は、第１クロック生成部２３１から出力された第１周波数のクロック（CLK）を使用し、ルーティング制御部２１２から出力された上り信号に含まれるプリアンブルデータを用いて玄関子機１００との同期（受信データの各ビットの先頭のタイミング）を検出する。そして、受信データ処理部２１３は、プリアンブルデータのユニークパターンを検出したタイミングで、データ再生動作を許可するイネーブル信号（SSCS）をデータ再生部２３３に出力する。
【００７８】
また、受信データ処理部２１３は、ルーティング制御部２１２から出力された上り信号（受信データ）を復号し、復号データをデータ再生部２３３に出力する。また、受信データ処理部２１３は、第１クロック生成部２３１から出力された第１周波数のクロック（CLK）を基準に、受信データのビットレートに対応する第２周波数（例えば、4.8MHz）のクロック（SSCK）を生成し、データ再生部２３３に出力する。
【００７９】
識別子記憶部２１４は、自機ＩＤｍａｓｔｅｒ、および、各機器（玄関子機１００、増設モニタ３００、他のドアホンシステムの親機）の識別子を記憶する。
【００８０】
＜増設モニタの構成＞
次に、増設モニタ３００の構成について、図５のブロック図を用いて説明する。図５に示すように、増設モニタ３００は、ケーブル接続部３０１、キー入力部３０２、スピーカ３０３、マイク３０４、音声Ｉ／Ｆ（インターフェイス）部３０５、ディスプレイ部３０６および制御部３０７を有する。制御部３０７は、内部に、第１クロック生成部３３１、パケット生成部３３２、データ再生部３３３、接続状態検出部３３４を有する。また、増設モニタ３００は、送信データ処理部３０８、送信データ反転部３０９、送信ドライバ３１０、受信ドライバ３１１、受信データ反転部３１２、受信データ処理部３１３、識別子記憶部３１４を有する。
【００８１】
ケーブル接続部３０１は、２線ケーブル用の接続端子を含み、２線ケーブルの増設モニタ側の一端と、受信ドライバ３１１および送信ドライバ３１０との間を、信号を伝送可能な状態で接続する。なお、２線ケーブルの他端は、ドアホン親機２００に接続される。
【００８２】
キー入力部３０２は、呼出ボタンを含み、呼出ボタンが操作されたとき、その旨を示す信号を制御部３０７に出力する。
【００８３】
スピーカ３０３は、音声Ｉ／Ｆ部３０５から出力されたアナログ音声データを、音声に変換して出力する。
【００８４】
マイク３０４は、周囲の音声を集音してアナログ音声データに変換し、音声Ｉ／Ｆ部３０５に出力する。
【００８５】
音声Ｉ／Ｆ部３０５は、制御部３０７から出力されたデジタル音声データを、アナログ音声データに変換し、信号レベルを調整して、スピーカ３０３に出力する。また、音声Ｉ／Ｆ部３０５は、マイク３０４から出力されたアナログ音声データを、信号レベルを調整し、デジタル音声データに変換して、制御部３０７に出力する。かかるアナログ／デジタル変換は、Ａ／Ｄ，Ｄ／Ａ変換器（図示せず）により行われる。
【００８６】
なお、音声Ｉ／Ｆ部３０５は、マイク３０４から出力されたアナログ音声データをデジタル変換したデータに対して、所定の音声圧縮処理を行って得られるデータを、デジタル音声データとして制御部３０７に出力してもよい。また、音声Ｉ／Ｆ部３０５は、制御部３０７から出力されたデジタル音声データが所定の音声圧縮処理を行って得られたデータである場合、当該データに対して所定の音声伸張処理を行ってから、デジタル／アナログ変換を行う。
【００８７】
ディスプレイ部３０６は、液晶ディスプレイを含み、制御部３０７から出力されたデジタル映像データを再生し、玄関の映像を表示する。なお、制御部３０７から出力されたデジタル映像データが所定の動画圧縮処理を行って得られたデータである場合、当該データに対して所定の動画伸張処理を行って、映像表示を行う。
【００８８】
制御部３０７は、増設モニタ３００の各部の制御を行う。また、制御部３０７は、送信を許可する送信区間、および、受信を許可する受信区間を指示する切り替え制御信号（SW CON）を送信ドライバ３１０および受信ドライバ３１１に出力する。
【００８９】
制御部３０７の第１クロック生成部３３１は、受信データをサンプリングするためのクロックであって、水晶発振周波数を基準に、受信データのビットレートのｎ倍に対応する第１周波数（例えば、48MHz（ｎ＝１０））のクロック（CLK）を生成し、受信データ処理部３１３に出力する。
【００９０】
制御部３０７のパケット生成部３３２は、映像付き通話を実現するための上りパケットを生成する。具体的には、パケット生成部３３２は、音声Ｉ／Ｆ部３０５から出力されたデジタル音声データを適宜分割して各タイムスロットのユーザデータフィールドに書き込み、自機（増設モニタ３００）に固有の識別子（以下、「自機ＩＤｍｏｎｉｔｏｒ」という）およびＩＤｍａｓｔｅｒを含む制御データを各タイムスロットの制御データフィールドに書き込む。さらに、パケット生成部３３２は、各タイムスロットに、プリアンブルデータ、シンクパターンを書き込み、上りパケット（送信データ）を生成する。さらに、パケット生成部３３２は、送信用のイネーブル信号（SSCS）および送信用の第２周波数（例えば、4.8MHz）のクロック（SSCK）を生成する。そして、パケット生成部３３２は、上りパケットを、送信用のイネーブル信号（SSCS）およびクロック（SSCK）と同期させて、送信データ処理部３０８に出力する。なお、クロック（SSCK）は、水晶発振周波数を基準にして生成される。
【００９１】
なお、増設モニタ３００とドアホン親機２００との間でデータが送受されない待機状態では、パケット生成部３３２は、上りパケットを生成しない。また、待機状態（非同期通信時）において、呼出ボタンが操作される等の所定のイベントが発生すると、パケット生成部３３２は、プリアンブルデータ、シンクパターン、制御データを書き込んだ上りパケット（割り込み信号）を生成する。なお、非同期通信時の割り込み信号において使用されるプリアンブルとシンクパターンは、同期通信時に使用されるものと同一である。
【００９２】
制御部３０７のデータ再生部３３３は、受信データ処理部３１３からイネーブル信号（SSCS）を入力すると、受信データ処理部３１３から出力された第２周波数のクロック（SSCK）を使用し、受信データ処理部３１３から出力された下りパケットを再生し、再生した下りパケット（復号データ）に含まれるデジタル映像データをディスプレイ部３０６に出力し、デジタル音声データを音声Ｉ／Ｆ部３０５に出力し、シンクパターンを接続状態検出部３３４に出力する。なお、データ再生部３３３は、初期登録時に、下りパケットに含まれる自機ＩＤｍｏｎｉｔｏｒおよびＩＤｍａｓｔｅｒを識別子記憶部３１４に記憶させる。
【００９３】
また、データ再生部３３３は、待機状態（非同期通信時）において所定のイベントが発生し、下り信号（割り込み信号）を入力した場合、下り信号を復調して下りパケットを取得し、下りパケットに含まれるシンクパターンを接続状態検出部３３４に出力する。データ再生部３３３は、接続状態検出部３３４において正確に割り込み信号を捕捉できたことを確認した後、割り込み信号の制御データを抽出する。制御データが同期要求であれば、増設モニタ３００は、ドアホン親機２００との同期処理に移行する。
【００９４】
制御部３０７の接続状態検出部３３４は、正接続チェック用シンクパターンおよび逆接続チェック用シンクパターンを記憶し、データ再生部３３３から出力された受信データのシンクパターンを、正接続チェック用シンクパターンおよび逆接続チェック用シンクパターンと照合する。接続状態検出部３３４は、受信データのシンクパターンと正接続チェック用シンクパターンが完全に一致した場合に２線ケーブルが正接続であると判定し、受信データのシンクパターンと逆接続チェック用シンクパターンが完全に一致した場合に２線ケーブルが逆接続であると判定する。そして、接続状態検出部３３４は、判定結果を示す反転制御信号（INV CON）を、送信データ反転部３０９および受信データ反転部３１２に出力する。
【００９５】
送信データ処理部３０８は、パケット生成部３３２からイネーブル信号（SSCS）を入力すると、パケット生成部３３２から出力された第２周波数のクロック（SSCK）を使用し、パケット生成部３３２から出力された上りパケットのデータに対して変調処理を行って上り信号を生成し、送信データ反転部３０９に出力する。
【００９６】
送信データ反転部３０９は、接続状態検出部３３４において２線ケーブルが逆接続であると判定された場合、送信データ処理部３０８から出力された上り信号を反転させて送信ドライバ３１０に出力する。一方、送信データ反転部３０９は、接続状態検出部３３４において２線ケーブルが正接続であると判定された場合、送信データ処理部３０８から出力された上り信号をそのまま送信ドライバ３１０に出力する。
【００９７】
送信ドライバ３１０は、制御部３０７からの切り替え制御信号（SW CON）によって指示された送信区間において、上り信号を、ケーブル接続部３０１を介してドアホン親機２００に送信する。
【００９８】
受信ドライバ３１１は、ドアホン親機２００から送信された下り信号を、ケーブル接続部３０１を介して受信する。そして、受信ドライバ３１１は、制御部３０７からの切り替え制御信号（SW CON）によって指示された受信区間において、下り信号を、受信データ反転部３１２に出力する。
【００９９】
受信データ反転部３１２は、接続状態検出部３３４において２線ケーブルが逆接続であると判定された場合、受信ドライバ３１１から出力された下り信号を反転させて受信データ処理部３１３に出力する。一方、受信データ反転部３１２は、接続状態検出部３３４において２線ケーブルが正接続であると判定された場合、受信ドライバ３１１から出力された下り信号をそのまま受信データ処理部３１３に出力する。
【０１００】
受信データ処理部３１３は、第１クロック生成部３３１から出力された第１周波数のクロック（CLK）を使用し、受信ドライバ３１１から出力された下り信号に含まれるプリアンブルデータを用いてドアホン親機２００との同期（受信データの各ビットの先頭のタイミング）を検出する。そして、受信データ処理部３１３は、プリアンブルデータのユニークパターンを検出したタイミングで、データ再生動作を許可するイネーブル信号（SSCS）をデータ再生部３３３に出力する。
【０１０１】
また、受信データ処理部３１３は、受信データ反転部３１２から出力された下り信号（受信データ）を復号し、復号データをデータ再生部３３３に出力する。また、受信データ処理部３１３は、第１クロック生成部１３１から出力された第１周波数のクロック（CLK）を基準に、受信データのビットレートに対応する第２周波数（例えば、4.8MHz）のクロック（SSCK）を生成し、データ再生部３３３に出力する。
【０１０２】
識別子記憶部３１４は、ドアホン親機２００から受信した自機ＩＤｍｏｎｉｔｏｒおよびＩＤｍａｓｔｅｒを記憶する。
【０１０３】
なお、玄関子機１００、ドアホン親機２００および増設モニタ３００は、図示しないが、例えば、ＣＰＵ（Central Processing Unit）、制御プログラムを格納したＲＯＭ（Read Only Memory）等の記憶媒体、ＲＡＭ（Random Access Memory）等の作業用メモリ、および通信回路をそれぞれ有する。この場合、上記した各部の機能は、ＣＰＵが制御プログラムを実行することにより実現される。
【０１０４】
＜変調処理の一例＞
次に、送信データ処理部１０８（２０８、３０８）が行う変調処理の一例について図６、図７を用いて説明する。図６、図７では、マンチェスタ符号を採用した場合を示している。
【０１０５】
送信データ処理部１０８（２０８、３０８）は、周期Ｔｍ毎に、パケットの各データ（１ビット）に対応する信号を１つ生成する。マンチェスタ符号を採用した場合、図６に示すように、送信データ処理部１０８（２０８、３０８）は、値「０」のデータ４０１にLowからHighへの立上りを発生させ、変調信号４０２を生成する。また、送信データ処理部１０８（２０８、３０８）は、値「１」のデータ４１１にHighからLowへの立下りを発生させ、変調信号４１２を生成する。
【０１０６】
そして、図７に示すように、「０，０，１，・・・，１，０」というデータ列４２１に対して、送信データ処理部１０８（２０８、３０８）は、各ビットの値に対応して、周期Ｔｍ毎に立上りあるいは立下りを有する変調信号４２２を生成する。
【０１０７】
＜プリアンブルデータの一例＞
次に、本実施の形態において使用されるプリアンブルデータの一例について図８を用いて説明する。
【０１０８】
図８に示すように、本実施の形態において使用されるプリアンブルデータ（4byte=32bit）は、1byte目から3byte目までがすべて「１」のパターンであり、4byte目が、最初から6bitまでが「１」、7bitが「０」、8bit（最後の1bit）が「１」のパターンである。さらに、この場合、プリアンブルデータに続くシンクパターンの最初の1bitが「１」である。この結果、図８に示すプリアンブルデータは、4byte目の6bit目から8bit目にかけての隣接する立下りエッジ間５０１の期間が他よりも長いユニークパターンとなっている。また、隣接する立下りエッジ間５０１のＨ（High）の期間およびＬ（Low）の期間が他よりも長くなっている。なお、図８は、マンチェスタエンコード後のプリアンブルデータの波形を示している。
【０１０９】
なお、本実施の形態では、プリアンブルデータが、図８に示すものが反転されたものであっても良い。すなわち、本実施の形態において使用されるプリアンブルデータ（4byte=32bit）は、1byte目から3byte目までがすべて「０」のパターンであり、4byte目が、最初から6bitまでが「０」、7bitが「１」、8bit（最後の1bit）が「０」のパターンであってもよい。この場合、プリアンブルデータに続くシンクパターンの最初の1bitが「０」である。
【０１１０】
＜受信データ処理部の内部構成＞
次に、玄関子機１００の受信データ処理部１１３の内部構成の詳細について、図９を用いて説明する。なお、その説明の際、本実施の形態の同期検出処理について理解を容易にするため、図９と併せて図１０を用いる。図１０の例において、プリアンブルデータおよびそのユニークパターンは、図８に示したものを用いる。なお、図１０では、第１クロック生成部１３１が48MHzのクロック（CLK）を生成し、第２クロック生成部１５６が4.8MHzのクロック（SSCK）を生成している場合を示している。
【０１１１】
図９に示すように、受信データ処理部１１３は、第１のユニークパターン検出部１５１、第２のユニークパターン検出部１５２、イネーブル信号生成部１５３、タイミング調整部１５４、受信データ復号部１５５および第２クロック生成部１５６を有する。
【０１１２】
受信データ反転部１１２から出力された受信データは、第１のユニークパターン検出部１５１、第２のユニークパターン検出部１５２、タイミング調整部１５４および受信データ復号部１５５に入力される。第１クロック生成部１３１のクロック（CLK）は、第１のユニークパターン検出部１５１、第２のユニークパターン検出部１５２、タイミング調整部１５４、受信データ復号部１５５および第２クロック生成部１５６に入力される。
【０１１３】
第１のユニークパターン検出部１５１および第２のユニークパターン検出部１５２は、ユニークパターン検出用のクロックの第１規定数（例えば、「１８」から「２２」）を記憶している。
【０１１４】
第１のユニークパターン検出部１５１は、第１クロック生成部１３１のクロックで、受信データ反転部１１２から出力された受信データに含まれるプリアンブルデータをサンプリングし、隣接する立下りエッジ間のクロックを計数する。第１のユニークパターン検出部１５１は、隣接する立下りエッジ間のクロック数が第１規定数のいずれかに一致した場合にユニークパターンを検出したと判定する。図１０の例では、隣接する立下りエッジ間５０１のクロック数「２０」が、第１規定数の中の１つと一致する。そして、第１のユニークパターン検出部１５１は、所定のタイミングで、その旨を示す信号を、イネーブル信号生成部１５３に出力する。
【０１１５】
第２のユニークパターン検出部１５２は、第１のユニークパターン検出部１５１と同一タイミングで、受信データ反転部１１２から出力された受信データに含まれるプリアンブルデータをサンプリングし、隣接する立上りエッジ間のクロックを計数する。第２のユニークパターン検出部１５２は、隣接する立上りエッジ間のクロック数が第１規定数のいずれかに一致した場合にユニークパターンを検出したと判定し、その旨を示す信号をイネーブル信号生成部１５３に出力する。
【０１１６】
イネーブル信号生成部１５３は、第１のユニークパターン検出部１５１あるいは第２のユニークパターン検出部１５２のいずれかから、ユニークパターンを検出した旨を示す信号を入力すると（図１０のタイミング５１０）、データ再生動作を許可するイネーブル信号をタイミング調整部１５４およびデータ再生部１３３に出力する（図１０の例では、イネーブル信号SSCSを立下げ、Ｌ（Low）信号とする（アクティブにする））。
【０１１７】
タイミング調整部１５４は、内部にタイミング生成用カウンタを有し、イネーブル信号生成部１５３からイネーブル信号を入力すると、先頭の受信データ（シンクパターン１ビット目）の波形エッジを検出する。なお、先頭の受信データは、プリアンブルデータとシンクパターンの間の波形エッジであるデータ反転のタイミング５１１から始まる。
【０１１８】
そして、タイミング調整部１５４は、該波形エッジを検出した後に、第１周波数のクロックで、タイミング生成用カウンタによる「０」から「９」までのカウントを繰り返し行い、各受信データの波形エッジのタイミングにおけるカウンタ値を観測する。そして、該カウンタ値が正常な値と異なる場合、タイミング調整部１５４は、カウンタ値を補正し、補正後のカウンタ値を受信データ復号部１５５および第２クロック生成部１５６に出力する。これにより、カウンタ値が所定の値となる範囲であるデータ再生ウィンドウの範囲（図１０の範囲５０２）の開始タイミングが調整される。
【０１１９】
受信データ復号部１５５は、タイミング調整部１５４からカウンタ値を入力し、データ再生ウィンドウの範囲（図１０の範囲５０２）で、受信データ１ビット分の波形の論理反転をスキャン検出し、当該受信データ１ビット分のマンチェスタエンコードされた波形の論理反転に対応したデータの復号処理を行い、復号データをデータ再生部１３３に出力する。図１０の例では、受信データ復号部１５５は、範囲５０２において、波形が「Ｈ」から「Ｌ」に反転した場合には復号データ「１」を出力し、波形が「Ｌ」から「Ｈ」に反転した場合には復号データ「０」を出力する。２番目の受信データが受信データ復号部１５５に入力される時間とほぼ同じ時間に、先頭の受信データの復号データが受信データ復号部１５５から一定の時間遅延して出力される。なお、受信データ復号部１５５が行う受信データの復号処理の詳細については後述する。
【０１２０】
第２クロック生成部１５６は、タイミング調整部１５４からカウンタ値（「０」〜「９」）を入力し、２番目の受信データのカウンタ値「０」（図１０のタイミング５１２）で、SSCKの出力（図１０では「Ｌ」）を開始し、先頭の受信データのカウンタ値「５」で、一定の遅延後にある先頭の復号データ用のSSCKの論理を「Ｌ」から「Ｈ」に反転し、２番目の受信データのカウンタ値「０」で、先頭の復号データと２番目の復号データの境界のSSCKの論理を「Ｈ」から「Ｌ」に反転する。その後、第２クロック生成部１５６は、再生クロックSSCKについて、カウント値「０」での「Ｈ」から「Ｌ」への論理反転およびカウント値「５」での「Ｌ」から「Ｈ」への論理反転を繰返す。そして、第２クロック生成部１５６は、「Ｌ」から「Ｈ」へ論理反転したタイミングで、第２周波数（例えば、4.8MHz）のクロック（SSCK）をデータ再生部１３３に出力する。
【０１２１】
ドアホン親機２００の受信データ処理部２１３の内部構成および増設モニタ３００の受信データ処理部３１３の内部構成は、玄関子機１００の受信データ処理部１１３の内部構成と同一である。
【０１２２】
＜ユニークパターンの検出の詳細説明＞
次に、ユニークパターンの検出について、図１１を用いて詳細に説明する。図１１（Ａ）は、２線ケーブルが正接続の場合の正常極性のユニークパターンおよびその近傍の受信波形を示し、図１１（Ａ）の（１）は、第１のユニークパターン検出部１５１によって計数されるクロック数を示し、図１１（Ａ）の（２）は、第２のユニークパターン検出部１５２によって計数されるクロック数を示す。図１１（Ｂ）は、２線ケーブルが逆接続の場合の反転極性のユニークパターンおよびその近傍の受信波形を示し、図１１（Ｂ）の（１）は、第１のユニークパターン検出部１５１によって計数されるクロック数を示し、図１１（Ｂ）の（２）は、第２のユニークパターン検出部１５２によって計数されるクロック数を示す。
【０１２３】
２線ケーブルが正接続の場合、図１１（Ａ）の（１）に示すように、第１のユニークパターン検出部１５１において計数されるクロック数は、ユニークパターン１の隣接する立下りエッジ間では「２０」となり、第１規定数の中の１つと一致し、他の隣接する立下りエッジ間では「１０」となり、第１規定数の中のいずれにも一致しない。第１のユニークパターン検出部１５１がユニークパターン１を検出すると、イネーブル信号生成部１５３が所定のタイミングＺでイネーブル信号（SSCS）を立下げる（アクティブにする）。一方、図１１（Ａ）の（２）に示すように、第２のユニークパターン検出部１５２において計数されるクロック数は、いずれの隣接する立上りエッジ間でも「１０」または「１５」となり、第１規定数の中のいずれにも一致しない。このため、第２のユニークパターン検出部１５２は、ユニークパターンを検出することができない。このように、２線ケーブルが正接続の場合、受信データ処理部１１３（第１のユニークパターン検出部１５１および第２のユニークパターン検出部１５２）において、サンプリングクロック数がユニークであるユニークパターン１が唯一検出される。
【０１２４】
２線ケーブルが逆接続の場合、図１１（Ｂ）の（２）に示すように、第２のユニークパターン検出部１５２において計数されるクロック数は、ユニークパターン２の隣接する立上りエッジ間では「２０」となり、第１規定数の中の１つと一致し、他の隣接する立上りエッジ間では「１０」となり、第１規定数の中のいずれにも一致しない。第２のユニークパターン検出部１５２がユニークパターン２を検出すると、イネーブル信号生成部１５３が所定のタイミングＹでイネーブル信号（SSCS）を立下げる（アクティブにする）。一方、図１１（Ｂ）の（１）に示すように、第１のユニークパターン検出部１５１において計数されるクロック数は、いずれの隣接する立下りエッジ間でも「１０」または「１５」となり、第１規定数の中の何れにも一致しない。このため、第１のユニークパターン検出部１５１は、ユニークパターンを検出することができない。このように、２線ケーブルが逆接続の場合、受信データ処理部１１３（第１のユニークパターン検出部１５１および第２のユニークパターン検出部１５２）において、サンプリングクロック数がユニークであるユニークパターン２が唯一検出される。
【０１２５】
なお、図１１（Ｂ）の受信波形は、図１１（Ａ）のの受信波形が反転されたものであって、正常極性のときに立下りエッジ間のクロック数が第１規定数となるユニークパターンが存在する場合は、必然的に、反転極性のときに立上りエッジ間のクロック数が第１規定数となるユニークパターンが存在することになる。また、その場合のユニークパターン１とユニークパターン２の配置位置およびタイミングは同一となり、イネーブル信号（SSCS）を立下げる（アクティブにする）タイミングＺとＹも一致する（図１０のタイミング５１０）。
【０１２６】
＜２線ケーブルの反転検出処理のフロー＞
次に、玄関子機１００（受信データ処理部１１３、接続状態検出部１３４）における２線ケーブルの反転検出処理のフローについて図１２を用いて説明する。
【０１２７】
ステップＳ６１０において、受信データ処理部１１３は、第１のユニークパターン検出部１５１および第２のユニークパターン検出部１５２により、第１クロック生成部１３１のクロックで、受信ドライバ１１１から出力された復調前の下り信号に含まれるプリアンブルデータをサンプリングし、隣接する立下りエッジ間あるいは隣接する立上りエッジ間の何れか一方である測定区間のクロック数に基づいてプリアンブルデータのユニークパターンのチェックを行う。
【０１２８】
ユニークパターンを検出できた場合（Ｓ６２０：ＹＥＳ）、ビット同期を取ることができたとして、フローをステップＳ６３０へ進め、検出できていない場合（Ｓ６２０：ＮＯ）、フローをステップＳ６１０に戻し、ユニークパターンのチェックを再び行う。
【０１２９】
ステップＳ６３０において、接続状態検出部１３４は、データ再生部１３３から出力された受信データのシンクパターンのチェックを行う。
【０１３０】
受信データのシンクパターンが、正接続チェック用シンクパターン（第１のシンクパターン）と一致した場合（Ｓ６４０：ＹＥＳ）、ステップＳ６５０において、接続状態検出部１３４は、２線ケーブルが正接続であると判定し、検出処理を終了する。
【０１３１】
また、受信データのシンクパターンが、正接続チェック用シンクパターンを反転した逆接続チェック用シンクパターン（第２のシンクパターン）と一致した場合（Ｓ６４０：ＮＯ，Ｓ６６０：ＹＥＳ）、ステップＳ６７０において、接続状態検出部１３４は、２線ケーブルが逆接続であると判定し、検出処理を終了する。
【０１３２】
また、受信データのシンクパターンが、正接続チェック用シンクパターンおよび逆接続チェック用シンクパターンのどちらにも一致しなかった場合（Ｓ６４０：ＮＯ，Ｓ６６０：ＮＯ）、ステップＳ６８０において、接続状態検出部１３４は、シンクパターンの検知に失敗したと判定し、フローをステップＳ６１０に戻し、ユニークパターンのチェックを再び行う。
【０１３３】
なお、２線ケーブルの反転検出（正接続／逆接続の判定）のタイミングとしては、（１）システムを設置した時やドアホン親機２００にかかったリセットを解除した時（リセット解除時）、（２）システム稼働中に玄関子機１００等の機器を新規に接続した時（新規接続時）、（３）スレーブ親機がマスタ親機として動作を開始する時、等が挙げられる。スレーブ親機がマスタ親機として動作を開始する時とは、例えば、２世帯システムにおいて、電源ブレーカが切断された等の理由によりマスタ親機２００が通信不能となり、スレーブ親機が、規定の時間あるいは規定の回数においてマスタ親機からの応答がないことを検知すると、動作可能なスレーブ親機が、マスタ親機として動作を開始する時である。
【０１３４】
（１）リセット解除時、（２）新規接続時のシーケンスについては、以下に詳細に説明する。
【０１３５】
＜リセット解除後の初期登録のシーケンス＞
次に、本実施の形態に係るリセット解除後の初期登録のシーケンスについて図１３から図１６を用いて説明する。図１３、図１４は、ドアホン親機２００と玄関子機１００との間の初期登録のシーケンスであり、図１５、図１６は、マスタ親機２００ａとスレーブ親機２００ｂとの間の初期登録のシーケンスである。また、図１３、図１５は、図２Ｂに示した割り込み信号を使用した場合を示し、図１４、図１６は、図２Ａに示したタイムスロットで構成されるフレームによる同期信号を使用した場合を示す。
【０１３６】
図１３の場合、電源がＯＮされると（Ｓ７０１）、ドアホン親機２００は、玄関子機１００に対して、制御データフィールドに登録開始情報が書き込まれた割り込み信号（下りパケット）を送信する（Ｓ７０２）。
【０１３７】
玄関子機１００は、ドアホン親機２００からの割り込み信号を捕捉する（Ｓ７０３）。なお、割り込み信号の捕捉とは、具体的には、第１周波数のクロックを用いて割り込み信号のサンプリングを行い、プリアンブル内のユニークパターンを検出してビット同期を確立し、第２周波数のクロックを用いて割り込み信号を再生してシンクパターンを検出することである。
【０１３８】
また、玄関子機１００は、割り込み信号のシンクパターンを用いて、２線ケーブルの反転検出（正接続／逆接続の判定）を行い、２線ケーブルが逆接続である場合、送信データ反転部１０９および受信データ反転部１１２に対して反転設定を行う（Ｓ７０４）。
【０１３９】
その後、玄関子機１００は、割り込み信号の制御データ（登録開始情報）を確認し（Ｓ７０５）、制御データフィールドに登録開始情報受領が書き込まれた割り込み信号（上りパケット）をドアホン親機２００に送信する（Ｓ７０６）。
【０１４０】
ドアホン親機２００は、玄関子機１００からの割り込み信号を捕捉し、割り込み信号の制御データ（登録開始情報受領）を確認する（Ｓ７０７）。
【０１４１】
そして、ドアホン親機２００は、玄関子機１００に割り当てた固有の識別子（端末ＩＤ）が制御データフィールドに書き込まれた割り込み信号（下りパケット）を送信する（Ｓ７０８）。
【０１４２】
玄関子機１００は、割り込み信号の制御データ（端末ＩＤ）を確認し、制御データフィールドに端末ＩＤ受領が書き込まれた割り込み信号（上りパケット）をドアホン親機２００に送信する（Ｓ７０９）。
【０１４３】
以上の処理により、初期登録が完了する（Ｓ７１０）。
【０１４４】
図１４の場合、電源がＯＮされると（Ｓ７２１）、ドアホン親機２００は、玄関子機１００に対して、第１の指定タイムスロットの制御データフィールドに登録開始情報および玄関子機１００からドアホン親機２００へ送信する場合の第２の指定タイムスロット（番号）が書き込まれた同期信号（下りパケット）を送信する（Ｓ７２２）。なお、第２の指定タイムスロットとして、既知の登録専用に準備したタイムスロットを使用してもよい。
【０１４５】
玄関子機１００は、ドアホン親機２００からの同期信号（下りパケット）に従って、ドアホン親機２００と同期を取る（Ｓ７２３）。これにより、玄関子機１００とドアホン親機２００との間は同期状態となる。なお、同期の取得とは、具体的には、第１周波数のクロックを用いて同期信号のサンプリングを行い、プリアンブル内のユニークパターンを検出してビット同期を確立し、第２周波数のクロックを用いて割り込み信号を再生してシンクパターンを検出することである。
【０１４６】
また、玄関子機１００は、同期信号（下りパケット）における第１の指定タイムスロットあるいは第１の指定タイムスロットより先に到着するタイムスロットのシンクパターンを用いて、２線ケーブルの反転検出（正接続／逆接続の判定）を行い、２線ケーブルが逆接続である場合、送信データ反転部１０９および受信データ反転部１１２に対して反転設定を行う（Ｓ７２４）。
【０１４７】
その後、玄関子機１００は、同期信号（下りパケット）における第１の指定タイムスロットの制御データ（登録開始情報）を確認し（Ｓ７２５）、第２の指定タイムスロットの制御データフィールドに登録開始情報受領が書き込まれた同期信号（上りパケット）をドアホン親機２００に送信する（Ｓ７２６）。
【０１４８】
ドアホン親機２００は、玄関子機１００からの同期信号（上りパケット）を捕捉し、第２の指定タイムスロットの制御データ（登録開始情報受領）を確認する（Ｓ７２７）。
【０１４９】
そして、ドアホン親機２００は、玄関子機１００に割り当てた固有の識別子（端末ＩＤ）が制御データフィールドに書き込まれた第１の指定タイムスロットを含む同期信号（下りパケット）を送信する（Ｓ７２８）。
【０１５０】
玄関子機１００は、同期信号（下りパケット）における第１の指定タイムスロットの制御データ（端末ＩＤ）を確認し、制御データフィールドに端末ＩＤ受領が書き込まれた第２の指定タイムスロットを含む同期信号（上りパケット）をドアホン親機２００に送信する（Ｓ７２９）。
【０１５１】
以上の処理により、初期登録が完了する（Ｓ７３０）。
【０１５２】
図１５の場合、電源がＯＮされると（Ｓ７４１）、マスタ親機２００ａは、スレーブ親機２００ｂに対して、制御データフィールドに登録開始情報が書き込まれた割り込み信号（下りパケット）を送信する（Ｓ７４２）。
【０１５３】
スレーブ親機２００ｂは、マスタ親機２００ａからの割り込み信号を捕捉する（Ｓ７４３）。また、スレーブ親機２００ｂは、割り込み信号のシンクパターンを用いて、２線ケーブルの反転検出（正接続／逆接続の判定）を行い、２線ケーブルが逆接続である場合、送信データ反転部２０９に対して反転設定を行う（Ｓ７４４）。
【０１５４】
その後、スレーブ親機２００ｂは、割り込み信号の制御データ（登録開始情報）を確認し（Ｓ７４５）、制御データフィールドに登録開始情報受領および反転検出結果情報が書き込まれた割り込み信号（上りパケット）をマスタ親機２００ａに送信する（Ｓ７４６）。
【０１５５】
マスタ親機２００ａは、スレーブ親機２００ｂからの割り込み信号を捕捉し、割り込み信号の制御データ（登録開始情報受領および反転検出結果情報）を確認する（Ｓ７４７）。
【０１５６】
また、マスタ親機２００ａは、反転検出結果情報によって２線ケーブルが逆接続であることが判明した場合、送信データ反転部２０９に対して反転設定を行う（Ｓ７４８）。
【０１５７】
そして、マスタ親機２００ａは、スレーブ親機２００ｂに割り当てた固有の識別子（端末ＩＤ）が制御データフィールドに書き込まれた割り込み信号（下りパケット）を送信する（Ｓ７４９）。
【０１５８】
スレーブ親機２００ｂは、割り込み信号の制御データ（端末ＩＤ）を確認し、制御データフィールドに端末ＩＤ受領が書き込まれた割り込み信号（上りパケット）をマスタ親機２００ａに送信する（Ｓ７５０）。
【０１５９】
以上の処理により、初期登録が完了する（Ｓ７５１）。
【０１６０】
図１６において、電源がＯＮされた場合（Ｓ７６１）、マスタ親機２００ａは、スレーブ親機２００ｂに対して、第１の指定タイムスロットの制御データフィールドに登録開始情報およびスレーブ親機２００ｂからマスタ親機２００ａへ送信する場合の第２の指定タイムスロット（番号）が書き込まれた同期信号（下りパケット）を送信する（Ｓ７６２）。第２の指定タイムスロットとして、既知の登録専用に準備したタイムスロットを使用してもよい。
【０１６１】
スレーブ親機２００ｂは、マスタ親機２００ａからの同期信号（下りパケット）に従って、マスタ親機２００ａと同期を取る（Ｓ７６３）。これにより、スレーブ親機２００ｂとマスタ親機２００ａとの間は、同期状態となる。
【０１６２】
また、スレーブ親機２００ｂは、同期信号（下りパケット）における第１の指定タイムスロットあるいは前記第１の指定タイムスロットより先に到着するタイムスロットのシンクパターンを用いて、２線ケーブルの反転検出（正接続／逆接続の判定）を行い、２線ケーブルが逆接続である場合、送信データ反転部２０９に対して反転設定を行う（Ｓ７６４）。
【０１６３】
その後、スレーブ親機２００ｂは、同期信号（下りパケット）における第１の指定タイムスロットの制御データ（登録開始情報）を確認し（Ｓ７６５）、第２の指定タイムスロットの制御データフィールドに登録開始情報受領および反転検出結果情報が書き込まれた同期信号（上りパケット）をマスタ親機２００ａに送信する（Ｓ７６６）。
【０１６４】
マスタ親機２００ａは、スレーブ親機２００ｂからの同期信号（上りパケット）を捕捉し、第２の指定タイムスロットの制御データ（登録開始情報受領および反転検出結果情報）を確認する（Ｓ７６７）。
【０１６５】
また、マスタ親機２００ａは、反転検出結果情報によって２線ケーブルが逆接続であることが判明した場合、送信データ反転部２０９に対して反転設定を行う（Ｓ７６８）。
【０１６６】
そして、マスタ親機２００ａは、スレーブ親機２００ｂに割り当てた固有の識別子（端末ＩＤ）が制御データフィールドに書き込まれた第１の指定タイムスロットを含む同期信号（下りパケット）を送信する（Ｓ７６９）。
【０１６７】
スレーブ親機２００ｂは、同期信号（下りパケット）における第１の指定タイムスロットの制御データ（端末ＩＤ）を確認し、制御データフィールドに端末ＩＤ受領が書き込まれた第２の指定タイムスロットを含む同期信号（上りパケット）をマスタ親機２００ａに送信する（Ｓ７７０）。
【０１６８】
以上の処理により、初期登録が完了する（Ｓ７７１）。
【０１６９】
＜新規接続時の初期登録のシーケンス＞
次に、本実施の形態に係るリセット解除後の初期登録のシーケンスについて図１７、図１８を用いて説明する。図１７は、図２Ｂに示した割り込み信号を使用した場合を示し、図１８は、図２Ａに示したタイムスロットで構成されるフレームによる同期信号を使用した場合を示す。なお、図１７、図１８において、図１３、図１４と共通する処理には同一符号を付してその説明を省略する。
【０１７０】
図１７、図１８において、玄関子機１００−１は、既に初期登録が完了し、ドアホン親機２００と通信状態あるいは通信可能な待機状態にあり、玄関子機１００−２は、ドアホン親機２００に新たに接続され、初期登録が未完了であるものとする。
【０１７１】
図１７の場合、ドアホンシステム動作時において（Ｓ７８１）、ドアホン親機２００は、玄関子機１００−２に対して、制御データフィールドに死活監視情報が書き込まれた割り込み信号（下りパケット）を送信する（Ｓ７８２）。
【０１７２】
玄関子機１００−２は、ドアホン親機２００からの割り込み信号を捕捉する（Ｓ７８３）。また、玄関子機１００−２は、割り込み信号のシンクパターンを用いて、２線ケーブルの反転検出（正接続／逆接続の判定）を行い、２線ケーブルが逆接続である場合、送信データ反転部１０９および受信データ反転部１１２に対して反転設定を行う（Ｓ７８４）。
【０１７３】
その後、玄関子機１００−２は、割り込み信号の制御データ（死活監視情報）を確認し（Ｓ７８５）、制御データフィールドに新規接続情報が書き込まれた割り込み信号（上りパケット）をドアホン親機２００に送信する（Ｓ７８６）。
【０１７４】
ドアホン親機２００は、玄関子機１００−２からの割り込み信号を捕捉し、割り込み信号の制御データ（新規接続情報）を確認する（Ｓ７８７）。
【０１７５】
以下、ドアホン親機２００と玄関子機１００−２との間で、図１３で説明したＳ７０８、Ｓ７０９の処理が行われ、玄関子機１００−２の初期登録が完了する（Ｓ７１０）。
【０１７６】
図１８の場合、ドアホンシステム動作時において（Ｓ７９１）、ドアホン親機２００は、玄関子機１００−２に対して、第１の指定タイムスロットの制御データフィールドに死活監視情報および玄関子機１００−２からドアホン親機２００へ送信する場合の第２の指定タイムスロット（番号）が書き込まれた同期信号（下りパケット）を送信する（Ｓ７９２）。第２の指定タイムスロットとして、既知の登録専用に準備したタイムスロットを使用してもよい。
【０１７７】
玄関子機１００−２は、ドアホン親機２００からの同期信号（下りパケット）に従って、ドアホン親機２００と同期を取る（Ｓ７９３）。これにより、玄関子機１００−２とドアホン親機２００との間は同期状態となる。
【０１７８】
また、玄関子機１００−２は、同期信号（下りパケット）における第１の指定タイムスロットあるいは前記第１の指定タイムスロットより先に到着するタイムスロットのシンクパターンを用いて、２線ケーブルの反転検出（正接続／逆接続の判定）を行い、２線ケーブルが逆接続である場合、送信データ反転部１０９および受信データ反転部１１２に対して反転設定を行う（Ｓ７９４）。
【０１７９】
その後、玄関子機１００−２は、同期信号（下りパケット）における第１の指定タイムスロットの制御データ（死活監視情報）を確認し（Ｓ７９５）、第２の指定タイムスロットの制御データフィールドに新規接続情報が書き込まれた同期信号（上りパケット）を、ドアホン親機２００に送信する（Ｓ７９６）。
【０１８０】
ドアホン親機２００は、玄関子機１００−２からの同期信号（上りパケット）を捕捉し、第２の指定タイムスロットの制御データ（新規接続情報）を確認する（Ｓ７９７）。
【０１８１】
以下、ドアホン親機２００と玄関子機１００−２との間で、図１４で説明したＳ７２８、Ｓ７２９の処理が行われ、玄関子機１００−２の初期登録が完了する（Ｓ７３０）。
【０１８２】
＜待機状態から通信状態までのシーケンス＞
次に、本実施の形態に係る待機状態（非同期通信時）から通信状態までのシーケンスについて図１９を用いて説明する。なお、図１９では、玄関子機１００−１、１００−２および増設モニタ３００がドアホン親機２００と接続している場合のシーケンスを示す。
【０１８３】
各機器とドアホン親機２００との間でデータが送受されない待機状態（非同期通信時）において（Ｓ８０１）、玄関子機１００−２の呼出ボタンが操作された場合（Ｓ８０２）、玄関子機１００−２は、制御データフィールドに同期要求が書き込まれた割り込み信号をドアホン親機２００に送信することにより同期要求を行う（Ｓ８０３）。
【０１８４】
ドアホン親機２００は、割り込み信号を捕捉し（Ｓ８０４）、割り込み信号に含まれる同期要求を確認する。なお、割り込み信号の捕捉とは、具体的には、第１周波数のクロックを用いて割り込み信号のサンプリングを行い、プリアンブル内のユニークパターンを検出してビット同期を確立し、第２周波数のクロックを用いて割り込み信号を再生してシンクパターンを検出することである。
【０１８５】
ドアホン親機２００は、玄関子機１００−２からの同期要求を確認すると、各機器と同期通信するためのフレームタイミングを決定し（Ｓ８０５）、各機器に同期信号を送信する（Ｓ８０６）。
【０１８６】
各機器は、同期信号に従って、ドアホン親機２００と同期を取る（Ｓ８０７）。これにより、各機器とドアホン親機２００との間は、同期状態となる（Ｓ８０８）。
【０１８７】
その後、玄関子機１００−２は、制御データフィールドに画像接続要求が書き込まれた上りパケットを親機２００に送信することにより画像接続要求を行う（Ｓ８０９）。ドアホン親機２００は、画像接続要求を確認すると、制御データフィールドに画像接続確認が書き込まれた下りパケットを玄関子機１００−２に送信することにより画像接続確認を行う（Ｓ８１０）。以降、玄関子機１００−２が上りパケットによりドアホン親機２００に画像データを送信し、ドアホン親機２００が当該画像データを表示する画像データ通信状態となる（Ｓ８１１）。なお、玄関子機１００−２から送信された画像データは、ドアホン親機２００から他の機器（玄関子機１００−１、増設モニタ３００）に同報送信され、増設モニタ３００においても、画像データが表示可能になる。
【０１８８】
＜各装置の動作＞
次に、各装置の動作について説明する。
【０１８９】
＜玄関子機の動作＞
図２０は、玄関子機１００の動作の一例を示すフローチャートである。
【０１９０】
ステップＳ１０１０において、制御部１０７は、呼出ボタンが操作されたか否かを判定する。制御部１０７は、呼出ボタンが操作された場合（Ｓ１０１０：ＹＥＳ）、フローをステップＳ１０２０へ進め、操作されていない場合（Ｓ１０１０：ＮＯ）、フローを後述のステップＳ１１００へ進める。
【０１９１】
ステップＳ１０２０において、制御部１０７は、呼出信号をドアホン親機２００へ送信する。
【０１９２】
ステップＳ１０３０において、制御部１０７は、ドアホン親機２００から応答信号を受信したか否かを判定する。制御部１０７は、応答信号を受信していない場合（Ｓ１０３０：ＮＯ）、フローをステップＳ１０２０へ戻し、応答信号を受信した場合（Ｓ１０３０：ＹＥＳ）、フローをステップＳ１０４０へ進める。なお、制御部１０７は、呼出信号を所定回数送信しても応答信号を受信しない場合、フローを、後述のステップＳ１１００へ進めてもよい。
【０１９３】
ステップＳ１０４０において、制御部１０７は、マイク１０４、音声Ｉ／Ｆ部１０５、およびカメラ部１０６を用いて、音声入力および映像撮影を開始する。また、制御部１０７は、パケット生成部１３２および送信データ処理部１０８を用いて、送信の対象となる各種データ（制御データ／デジタル音声データ／デジタル映像データ）のパケット化および符号化を開始する。なお、制御部１０７は、デジタル音声データおよびデジタル映像データの送信レート制御を行ってもよい。
【０１９４】
ステップＳ１０５０において、制御部１０７は、子機側送信区間であるか否かを判定する。制御部１０７は、送信区間である場合（Ｓ１０５０：ＹＥＳ）、フローをステップＳ１０６０へ進め、送信区間ではない場合（Ｓ１０５０：ＮＯ）、フローを後述のステップＳ１０７０へ進める。
【０１９５】
ステップＳ１０６０において、制御部１０７は、送信ドライバ１１０を用いて、符号化により生成された上り信号を、２線ケーブルを介してドアホン親機２００へ送信する。なお、制御部１０７は、送信区間が終了したとき、上り信号の送信を停止する。
【０１９６】
ステップＳ１０７０において、制御部１０７は、親機側送信区間であるか否かを判定する。制御部１０７は、送信区間である場合（Ｓ１０７０：ＹＥＳ）、フローをステップＳ１０８０へ進め、送信区間ではない場合（Ｓ１０７０：ＮＯ）、フローを後述のステップＳ１０９０へ進める。
【０１９７】
ステップＳ１０８０において、制御部１０７は、下り信号の受信、各種データ（制御データ／音声データ）の抽出、および音声の出力を開始する。なお、制御部１０７は、送信区間が終了したとき、下り信号の受信あるいは各種データの抽出を停止する。
【０１９８】
ステップＳ１０９０において、制御部１０７は、玄関子機１００とドアホン親機２００との間の通話が終了したか否かを判定する。例えば、制御部１０７は、ドアホン親機２００で通話終了の操作が行われたことを示す信号をドアホン親機２００から受信したとき、通話が終了したと判定する。制御部１０７は、通話が終了していない場合（Ｓ１０９０：ＮＯ）、フローをステップＳ１０５０へ戻し、通話が終了した場合（Ｓ１０９０：ＹＥＳ）、フローをステップＳ１１００へ進める。
【０１９９】
ステップＳ１１００において、制御部１０７は、ドアホン機能に関する処理の終了を指示されたかを判定する。例えば、制御部１０７は、ドアホン親機２００でドアホン機能の停止の操作が行われたことを示す信号をドアホン親機２００から受信したとき、上記処理の終了を指示されたと判定する。制御部１０７は、上記処理の終了を指示されていない場合（Ｓ１１００：ＮＯ）、フローをステップＳ１０１０へ戻し、上記処理の終了を指示された場合（Ｓ１１００：ＹＥＳ）、一連の処理を終了する。
【０２００】
＜ドアホン親機の動作＞
図２１は、ドアホン親機２００の動作の一例を示すフローチャートである。
【０２０１】
ステップＳ２０１０において、制御部２０７は、玄関子機１００から呼出信号を受信したか否かを判定する。制御部２０７は、呼出信号を受信した場合（Ｓ２０１０：ＹＥＳ）、フローをステップＳ２０２０へ進め、呼出信号を受信していない場合（Ｓ２０１０：ＮＯ）、フローを後述のステップＳ２０９０へ進める。
【０２０２】
ステップＳ２０２０において、制御部２０７は、応答信号を玄関子機１００へ送信するとともに、音声Ｉ／Ｆ部２０５およびスピーカ２０３を用いて、呼出音を出力する。
【０２０３】
ステップＳ２０３０において、制御部２０７は、マイク２０４および音声Ｉ／Ｆ部２０５を用いて、音声入力を開始する。また、制御部２０７は、パケット生成部２３２および送信データ処理部２０８を用いて、送信の対象となる各種データ（制御データ／デジタル音声データ）のパケット化および符号化を開始する。なお、制御部２０７は、デジタル音声データの送信レート制御を行ってもよい。
【０２０４】
ステップＳ２０４０において、制御部２０７は、子機側送信区間であるか否かを判定する。制御部２０７は、送信区間である場合（Ｓ２０４０：ＹＥＳ）、フローをステップＳ２０５０へ進め、送信区間ではない場合（Ｓ２０４０：ＮＯ）、フローを後述のステップＳ２０６０へ進める。
【０２０５】
ステップＳ２０５０において、制御部２０７は、上り信号の受信および各種データ（制御データ／音声データ／映像データ）の抽出を開始する。また、制御部２０７は、音声Ｉ／Ｆ部２０５、スピーカ２０３および液晶ディスプレイを用いて、音声および映像の出力を開始する。なお、制御部２０７は、送信区間が終了したとき、上り信号の受信あるいは各種データの抽出を停止する。
【０２０６】
ステップＳ２０６０において、制御部２０７は、親機側送信区間であるか否かを判定する。制御部２０７は、送信区間である場合（Ｓ２０６０：ＹＥＳ）、フローをステップＳ２０７０へ進め、送信区間ではない場合（Ｓ２０６０：ＮＯ）、フローを後述のステップＳ２０８０へ進める。
【０２０７】
ステップＳ２０７０において、制御部２０７は、送信ドライバ２１０を用いて、符号化により生成された下り信号を、２線ケーブルを介して玄関子機１００へ送信する。但し、制御部２０７は、上述の通り、応答ボタンが操作されるまでは、デジタル音声データの送信を行わないことが望ましい。なお、制御部２０７は、送信区間が終了したとき、下り信号の送信を停止する。
【０２０８】
ステップＳ２０８０において、制御部２０７は、玄関子機１００とドアホン親機２００との間の通話が終了したか否かを判定する。例えば、制御部２０７は、ドアホン親機２００で通話終了の操作が行われたこと検知したとき、通話が終了したと判定する。なお、制御部２０７は、かかる通話終了の操作が行われたとき、その旨を示す信号を玄関子機１００に送信することが望ましい。制御部２０７は、通話が終了していない場合（Ｓ２０８０：ＮＯ）、フローをステップＳ２０４０へ戻し、通話が終了した場合（Ｓ２０８０：ＹＥＳ）、フローをステップＳ２０９０へ進める。
【０２０９】
ステップＳ２０９０において、制御部２０７は、ドアホン機能に関する処理の終了を指示されたかを判定する。例えば、制御部２０７は、ドアホン親機２００でドアホン機能の停止の操作が行われたことを検知したとき、上記処理の終了を指示されたと判定する。なお、制御部２０７は、かかるドアホン機能の停止の操作が行われたとき、その旨を示す信号を玄関子機１００に送信することが望ましい。制御部２０７は、上記処理の終了を指示されていない場合（Ｓ２０９０：ＮＯ）、フローをステップＳ２０１０へ戻し、上記処理の終了を指示された場合（Ｓ２０９０：ＹＥＳ）、一連の処理を終了する。
【０２１０】
＜通常動作時のルーティング制御＞
次に、本実施の形態に係るドアホン親機２００の通常動作時のルーティング制御の具体例について、図２２、図２３を用いて説明する。図２２の例では、ドアホン親機２００（制御部２０７（図２２では「親機制御部」と記載））が、いずれかのＤＲＶ（送信ドライバ（Ｔｘ）と受信ドライバ（Ｒｘ）のセット）１〜５を介して５個の機器（玄関子機１００、増設モニタ３００、他のドアホンシステムの親機）と接続している場合を示している。この場合、７種類の設定パターン（Ｐ１〜Ｐ７）が用意される。図２３は、ルーティング制御部２１２の内部構成を示す図である。図２３に示すように、ルーティング制御部２１２は、内部に、切替スイッチ２１２１およびＯＲ回路２１２２を有する。
【０２１１】
設定パターンＰ１は、ドアホン親機２００がいずれの機器ともデータの送受を行っていない待機状態におけるルーティング（通信ルートの有効／無効）を示す。設定パターンＰ１では、ドアホン親機２００は、受信モード（送信を行わず、受信のみを行うモード）となり、制御部２０７は、図２２に示すように受信モードであるため、SPI-RWの制御により、切替スイッチ２１２１の端子Ｔ３をＴ２に接続し、各機器からのデータ受信が可能となるように各ＤＲＶの受信ドライバ（Ｒｘ）を有効にし、各接続機器からの割り込みを待っている状態となる。なお、設定パターンＰ１で、各接続機器からの割り込みを待っている状態において、すべてのＤＲＶの受信ドライバ（Ｒｘ）の出力は「Ｌ」とする。
【０２１２】
待機状態において、いずれかの機器から非同期の割り込み信号を受信した場合、ドアホン親機２００は、当該割り込み信号を送信した機器との間で同期を確立する。例えば、ドアホン親機２００は、ＤＲＶ１から割り込み信号を受信した場合、ＤＲＶ１と接続する機器と同期を確立し、データの送受を行う（Ｐ２（送信時）またはＰ３（受信時）に移行する）。
【０２１３】
設定パターンＰ２は、ドアホン親機２００が全ての機器に対してデータを送信する一斉送信時（Broadcast）におけるルーティングを示す。設定パターンＰ２では、ドアホン親機２００は、送信モード（受信を行わず、送信のみを行うモード）となり、制御部２０７は、切替スイッチ２１２１の端子Ｔ３を端子Ｔ１と接続させ、各機器へのデータ送信が可能となるように各ＤＲＶの送信ドライバ（Ｔｘ）を有効にする。このとき、いずれかの機器からドアホン親機２００にデータが送信されても、各ＤＲＶにおいて受信できず、親機２００において当該データは破棄される。なお、設定パターンＰ２では、ドアホン親機２００が、接続中のすべての機器に対してデータ送信を行うが、下りパケットの制御データフィールドには通信相手の機器の識別子のみが記載されているため、他の機器は、データを受信しても破棄する。なお、設定パターンＰ２で、すべてのＤＲＶの受信ドライバ（Ｒｘ）の出力は「Ｌ」とする。
【０２１４】
設定パターンＰ３からＰ７は、ドアホン親機２００がいずれか１つの機器からデータを受信する個別受信時におけるルーティングを示す。設定パターンＰ３からＰ７では、ドアホン親機２００は受信モードとなり、制御部２０７は、切替スイッチ２１２１の端子Ｔ３を端子Ｔ２と接続させ、各設定パターンに対応する１つのＤＲＶの受信ドライバ（Ｒｘ）を有効にし、他のＤＲＶの送信ドライバ（Ｔｘ）を有効にする。これにより、ドアホン親機２００は、受信ドライバ（Ｒｘ）が選択されたＤＲＶから受信したデータを、ルーティング制御部２１２において、受信データ処理部２１３に出力すると同時に、当該データをそのまま、送信ドライバ（Ｔｘ）が選択されたすべてのＤＲＶに接続されている他の機器に同報送信することができる。したがって、同報送信する際に、受信データを復号して解析する必要がない。なお、送信ドライバ（Ｔｘ）が選択されているすべてのＤＲＶの受信ドライバ（Ｒｘ）の出力は「Ｌ」とする。
【０２１５】
例えば、ドアホン親機２００が、玄関子機１００のデータをＤＲＶ２から受信する場合、制御部２０７は、ＤＲＶ２の受信ドライバ（Ｒｘ）を有効とし、他のＤＲＶの送信ドライバ（Ｔｘ）を有効にする。この場合、玄関子機１００からのデータは、ＤＲＶ２から受信され、ルーティング制御部２１２のＯＲ回路２１２２を通り、復号用として受信データ処理部２１３へ出力される。さらに、ＯＲ回路２１２２を通ったデータは、切替スイッチ２１２１を経由して、ＤＲＶ１、３、４、５に送信され、各接続機器に同報送信される。その際、ＤＲＶ２は、受信ドライバ（Ｒｘ）のみが有効であり、送信ドライバ（Ｔｘ）が無効であるため、ＯＲ回路２１２２を通ったデータは、ＤＲＶ２からは同報送信されない。また、この時、他の機器からドアホン親機２００にデータが送信されても、ＤＲＶ１、３、４、５において受信できず、親機２００において当該データは破棄される。
【０２１６】
＜初期登録時のルーティング制御＞
次に、本実施の形態に係るドアホン親機２００の初期登録時のルーティング制御の具体例について、図２３、図２４を用いて説明する。図２４の例では、ドアホン親機２００（制御部２０７（図２４では「親機制御部」と記載））が、いずれかのＤＲＶ１〜５を介して５個の機器と接続している場合を示している。この場合、５種類の設定パターン（ＥＰ１〜ＥＰ５）が用意される。
【０２１７】
設定パターンＥＰ１からＥＰ５は、ドアホン親機２００がいずれか１つの機器を登録する初期登録時におけるルーティングを示す。設定パターンＥＰ１からＥＰ５では、ドアホン親機２００は送信モードとなり、制御部２０７は、切替スイッチ２１２１の端子Ｔ３を端子Ｔ１と接続させ、登録対象の機器に対応するＤＲＶの送信ドライバ（Ｔｘ）を有効にし、他のＤＲＶの受信ドライバ（Ｒｘ）を有効にする。これにより、ドアホン親機２００は、パケットを送信する区間において、登録対象以外の機器に対してパケットの送信を行わず、登録対象の機器のみにパケットの送信を行うことができる。なお、このとき、他のＤＲＶの受信ドライバ（Ｒｘ）が有効になるが、ドアホン親機２００が送信の場合は、全ての機器からのパケットの受信を遮断する論理とし、それらのＤＲＶからのパケットの受信を受け付けない（SPI-RWで制御部２０７は送信を選択する）。なお、各登録対象の機器からドアホン親機２００へのパケットの送信は、図２２のＰ３からＰ７の設定を使用する。この場合、他接続機器への同報送信の機能が働くが、ドアホン親機２００のみへの送信であるため、他接続機器はこれを無視する。これにより、ドアホン親機２００が、各玄関子機１００等の登録対象機器と１対１に通信することができる。なお、送信ドライバ（Ｔｘ）が選択されているすべてのＤＲＶの受信ドライバ（Ｒｘ）の出力は「Ｌ」とする。また、ＤＲＶの受信ドライバ（Ｒｘ）が選択され、各接続機器からの割り込みを待っている状態においては、受信ドライバ（Ｒｘ）の出力は「Ｌ」とする。
【０２１８】
＜２線ケーブルの無極性化＞
上記の説明では、玄関子機１００、ドアホン親機２００および増設モニタ３００は、接続状態検出部１３４、２３４、３３４にて２線ケーブルの接続状態を検出し、逆接続であった場合には送信データ反転部１０９、２０９、３０９および受信データ反転部１１２、３１２において信号を反転させる場合を例にした。これにより、２線ケーブルの接続を実質的に無極性化することができ、２線ケーブルの接続状態に影響されないデジタル通信を実現することができる。
【０２１９】
しかしながら、デジタル通信の送受信信号を反転するのは送信側あるいは受信側のどちらか一方でもよい。以下では、玄関子機１００とドアホン親機２００との間で無極性化を実現するための構成について例示する。
【０２２０】
図２５は、２線ケーブルが正接続の状態になっているときの様子を示す模式図である。図２６から図２９は、２線ケーブルが逆接続の状態になっているときの様子を示す模式図である。
【０２２１】
なお、図２６から図２９において、２線ケーブルを使用したデジタル通信の無極性化に密接に関連する部分以外の部分については、図示を省略している。また、図２６から図２９において、玄関子機１００およびドアホン親機２００（以下、適宜「機器」と総称する）のそれぞれは、送信データ反転部および受信データ反転部を備えているものとする。上記の説明では、ドアホン親機２００が受信データ反転部を有しない構成について説明したが、以下の説明では、ドアホン親機２００が受信データ反転部２１５を有する場合についても説明する。
【０２２２】
送信データ反転部は、上述の通り、接続状態検出部から出力された反転制御信号（INV CON）に従って、送信データ処理部から出力された送信信号を反転させ、あるいは反転させずに、送信ドライバへ出力する。
【０２２３】
また、受信データ反転部は、上述の通り、接続状態検出部から出力された反転制御信号（INV CON）に従って、受信ドライバから出力された受信信号を反転させ、あるいは反転させずに、受信データ処理部へ出力する。
【０２２４】
また、図２５から図２９において、送信データ反転部および受信データ反転部のうち、信号の反転を行わない状態（信号をそのままスルーさせる状態）のものは、破線で示している。また、図２５から図２９における２線ケーブルの２つの線は、２線ケーブルを構成する２本のケーブルを示す。
【０２２５】
図２５に示すように、２線ケーブルが正接続となっている場合、２線ケーブルの両側の機器の間で極性は一致している。従って、両方の機器は、上り信号および下り信号のいずれに対しても反転を行う必要がない。従って、各機器の送信データ反転部１０９、２０９および受信データ反転部１１２、２１５は、信号反転を行わない。
【０２２６】
一方、図２６から図２９に示すように、２線ケーブルが逆接続となっている場合、２線ケーブルの両側の機器の間で極性は逆転している。従って、上り信号および下り信号の両方について、いずれかの機器において信号反転を行う必要がある。
【０２２７】
図２６は、両方の機器において、接続状態検出部１３４、２３４により逆接続の検出を行い、逆接続が検出されたとき、送信データ反転部１０９、２０９が信号反転を開始する例を示す。この場合、玄関子機１００およびドアホン親機２００は、必ずしも受信データ反転部１１２、２１５を備える必要がない。
【０２２８】
一方、図２７は、両方の機器において、逆接続が検出されたときに受信データ反転部１１２、２１２が信号反転を開始する例を示す。この場合、玄関子機１００およびドアホン親機２００は、必ずしも送信データ反転部１０９、２０９を備える必要がない。
【０２２９】
または、例えば、図２８および図２９に示すように、一方の機器のみにおいて、接続状態検出部により逆接続の検出を行い、逆接続が検出されたとき、当該機器の送信データ反転部および受信データ反転部において、信号反転を開始するようにしてもよい。この場合、他方の機器は、必ずしも接続状態検出部、送信データ反転部および受信データ反転部を備える必要がない。
【０２３０】
なお、図２５から図２９では、玄関子機１００とドアホン親機２００の場合を例示しているが、本実施の形態では、玄関子機１００をスレーブ親機１００ｂとし、ドアホン親機２００をマスタ親機２００ａとしてもよい。
【０２３１】
＜本実施の形態の効果＞
以上のように、本実施の形態では、２線ケーブルが逆接続の場合、送信側装置あるいは受信側装置のいずれか一方において、データを反転してから送信／受信を行うことにより、２線ケーブルの接続状態にかかわらず受信側装置がデータを復調することができる。したがって、工事作業者は、接続状態（正接続か逆接続か）を気にすることなく、２線ケーブルを配線することができるので、２線ケーブル配線時の作業効率を上げることができる。
【０２３２】
なお、本実施の形態では、時分割複信のデジタル通信を例に説明したが、本発明はこれに限られず、他のデジタル通信にも適用できる。例えば、その他の応用機器として、ビジネスホン（内線電話機と制御装置間）、ホームセキュリティ装置（監視カメラ装置と室内モニタ間、各種センサーノードと制御装置間）等の制御装置（通信装置）などであっても、同様の効果が得られる。
【産業上の利用可能性】
【０２３３】
本開示は、カメラ付きの玄関子機とドアホン親機とからなるドアホンシステムに用いるに好適である。
【符号の説明】
【０２３４】
１  ドアホンシステム
１００  玄関子機
１０１、２０１、３０１  ケーブル接続部
１０２、２０２、３０２  キー入力部
１０３、２０３、３０３  スピーカ
１０４、２０４、３０４  マイク
１０５、２０５、３０５  音声Ｉ／Ｆ部
１０６  カメラ部
１０７、２０７、３０７  制御部
１０８、２０８、３０８  送信データ処理部
１０９、２０９、３０９  送信データ反転部
１１０、２１０、３１０  送信ドライバ
１１１、２１１、３１１  受信ドライバ
１１２、２１５、３１２  受信データ反転部
１１３、２１３、３１３  受信データ処理部
１１４、２１４、３１４  識別子記憶部
１３１、２３１、３３１  第１クロック生成部
１３２、２３２、３３２  パケット生成部
１３３、２３３、３３３  データ再生部
１３４、２３４、３３４  接続状態検出部
１５１  第１のユニークパターン検出部
１５２  第２のユニークパターン検出部
１５３  イネーブル信号生成部
１５４  タイミング調整部
１５５  受信データ復号部
１５６  第２クロック生成部
２００  ドアホン親機
２０６、３０６  ディスプレイ部
２１２  ルーティング制御部
３００  増設モニタ
【図１】
2018006976.tif 000003
【図２Ａ】
2018006976.tif 000004
【図２Ｂ】
2018006976.tif 000005
【図３】
2018006976.tif 000006
【図４】
2018006976.tif 000007
【図５】
2018006976.tif 000008
【図６】
2018006976.tif 000009
【図７】
2018006976.tif 000010
【図８】
2018006976.tif 000011
【図９】
2018006976.tif 000012
【図１０】
2018006976.tif 000013
【図１１】
2018006976.tif 000014
【図１２】
2018006976.tif 000015
【図１３】
2018006976.tif 000016
【図１４】
2018006976.tif 000017
【図１５】
2018006976.tif 000018
【図１６】
2018006976.tif 000019
【図１７】
2018006976.tif 000020
【図１８】
2018006976.tif 000021
【図１９】
2018006976.tif 000022
【図２０】
2018006976.tif 000023
【図２１】
2018006976.tif 000024
【図２２】
2018006976.tif 000025
【図２３】
2018006976.tif 000026
【図２４】
2018006976.tif 000027
【図２５】
2018006976.tif 000028
【図２６】
2018006976.tif 000029
【図２７】
2018006976.tif 000030
【図２８】
2018006976.tif 000031
【図２９】
2018006976.tif 000032
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
親機と子機とが２線ケーブルを介して接続され、前記親機と前記子機の間で時分割複信によりパケット信号を送受信するドアホンシステムであって、
前記子機は、
カメラ、マイク及びスピーカを有し、該カメラで得た映像データ及び該マイクで得た音声データを含む上りパケット信号を前記親機に送信し、かつ、前記親機から下りパケット信号を受信してデータを再生し、前記下りパケット信号に含まれる音声データを前記スピーカから出力し、
前記親機は、
ディスプレイ部、マイク及びスピーカを有し、前記子機から前記上りパケット信号を受信してデータを再生し、前記上りパケット信号に含まれる映像データを前記ディスプレイ部で表示するとともに前記上りパケット信号に含まれる音声データを前記スピーカから出力し、かつ、前記マイクで得た音声データを含む前記下りパケット信号を前記子機に送信し、
前記親機は、
前記２線ケーブルが正接続であるか逆接続であるかを判定し、
前記２線ケーブルが逆接続である場合、前記子機から受信した前記上りパケット信号を反転してからデータの再生を行い、かつ、前記下りパケット信号を反転してから前記子機に送信し、
前記子機は、
前記２線ケーブルが逆接続であっても、前記親機から受信した前記下りパケット信号を反転せずにデータの再生を行い、かつ、前記上りパケット信号を反転せずに前記親機に送信する、
ドアホンシステム。
【請求項２】
親機と子機とが２線ケーブルを介して接続され、前記親機と前記子機の間で時分割複信によりパケット信号を送受信するドアホンシステムであって、
前記子機は、
カメラ、マイク及びスピーカを有し、該カメラで得た映像データ及び該マイクで得た音声データを含む上りパケット信号を前記親機に送信し、かつ、前記親機から下りパケット信号を受信してデータを再生し、前記下りパケット信号に含まれる音声データを前記スピーカから出力し、
前記親機は、
ディスプレイ部、マイク及びスピーカを有し、前記子機から前記上りパケット信号を受信してデータを再生し、前記上りパケット信号に含まれる映像データを前記ディスプレイ部で表示するとともに前記上りパケット信号に含まれる音声データを前記スピーカから出力し、かつ、前記マイクで得た音声データを含む前記下りパケット信号を前記子機に送信し、
前記子機は、
前記２線ケーブルが正接続であるか逆接続であるかを判定し、
前記２線ケーブルが逆接続である場合、前記上りパケット信号を反転してから前記親機に送信し、
前記２線ケーブルが逆接続であっても、前記親機から受信した前記下りパケット信号を反転せずにデータの再生を行い、
前記親機は、
前記２線ケーブルが正接続であるか逆接続であるかを判定し、
前記２線ケーブルが逆接続である場合、前記下りパケット信号を反転してから前記子機に送信し、
前記２線ケーブルが逆接続であっても、前記子機から受信した前記上りパケット信号を反転せずにデータの再生を行う、
ドアホンシステム。
【請求項３】
親機と子機とが２線ケーブルを介して接続され、前記親機と前記子機の間で時分割複信によりパケット信号を送受信するドアホンシステムであって、
前記子機は、
カメラ、マイク及びスピーカを有し、該カメラで得た映像データ及び該マイクで得た音声データを含む上りパケット信号を前記親機に送信し、かつ、前記親機から下りパケット信号を受信してデータを再生し、前記下りパケット信号に含まれる音声データを前記スピーカから出力し、
前記親機は、
ディスプレイ部、マイク及びスピーカを有し、前記子機から前記上りパケット信号を受信してデータを再生し、前記上りパケット信号に含まれる映像データを前記ディスプレイ部で表示するとともに前記上りパケット信号に含まれる音声データを前記スピーカから出力し、かつ、前記マイクで得た音声データを含む前記下りパケット信号を前記子機に送信し、
前記子機は、
前記２線ケーブルが正接続であるか逆接続であるかを判定し、
前記２線ケーブルが逆接続であっても、前記上りパケット信号を反転せずに前記親機に送信し、
前記２線ケーブルが逆接続である場合、前記親機から受信した前記下りパケット信号を反転してからデータの再生を行い、
前記親機は、
前記２線ケーブルが正接続であるか逆接続であるかを判定し、
前記２線ケーブルが逆接続であっても、前記下りパケット信号を反転せずに前記子機に送信し、
前記２線ケーブルが逆接続である場合、前記子機から受信した前記上りパケット信号を反転してからデータの再生を行う、
ドアホンシステム。
【請求項４】
前記子機あるいは前記親機は、同期通信時の同期信号あるいは非同期時の割り込み信号を用いて前記２線ケーブルが正接続であるか逆接続であるかを判定する、
請求項１から３のいずれか一項に記載のドアホンシステム。
【請求項５】
システムが設置された際、あるいは、前記親機にかけられたリセットが解除された際に、前記子機の初期登録時、前記子機あるいは前記親機は、前記２線ケーブルが正接続であるか逆接続であるかを判定する、
請求項４に記載のドアホンシステム。
【請求項６】
システム稼働中に新規の前記子機が接続された際に、前記新規の子機の初期登録時、前記子機あるいは前記親機は、前記２線ケーブルが正接続であるか逆接続であるかを判定する、
請求項４または５に記載のドアホンシステム。
【請求項７】
スレーブ親機であった前記親機が、マスタ親機として動作を開始する時、前記子機あるいは前記親機は、前記２線ケーブルが正接続であるか逆接続であるかを判定する、
請求項４から６のいずれか一項に記載のドアホンシステム。
【請求項８】
前記子機あるいは前記親機は、
前記２線ケーブルが正接続である場合に既知である第１のシンクパターン、および、前記第１のシンクパターンが反転された第２のシンクパターンを記憶し、
受信信号から検出されたシンクパターンが前記第１のシンクパターンと一致した場合に前記２線ケーブルが正接続であると判断し、前記検出されたシンクパターンが前記第２のシンクパターンと一致した場合に前記２線ケーブルが逆接続であると判定する、
請求項１から７のいずれか一項に記載のドアホンシステム。
【請求項９】
第１の玄関子機および第１のドアホン親機を含む複数の端末間で時分割複信によりパケット信号を送受信する第１の通信ネットワークと、第２の玄関子機および第２のドアホン親機を含む複数の端末間で時分割複信によりパケット信号を送受信する第２の通信ネットワークと、を有し、前記第１のドアホン親機と前記第２のドアホン親機とが２線ケーブルを介して接続され、前記第１のドアホン親機と前記第２のドアホン親機の間で時分割複信によりパケット信号を送受信し、前記第１のドアホン親機及び前記第２のドアホン親機の一方がマスタ親機であり、他方がスレーブ親機であるドアホンシステムであって、
前記第１の玄関子機は、
カメラ、マイク及びスピーカを有し、該カメラで得た映像データ及び該マイクで得た音声データを含む第１の上りパケット信号を前記第１のドアホン親機に送信し、かつ、前記第１のドアホン親機から第１の下りパケット信号を受信してデータを再生し、前記第１の下りパケット信号に含まれる音声データを前記スピーカから出力し、
前記第１のドアホン親機は、
ディスプレイ部、マイク及びスピーカを有し、前記第１の玄関子機から前記第１の上りパケット信号を受信してデータを再生し、前記第１の上りパケット信号に含まれる映像データを前記ディスプレイ部で表示するとともに前記第１の上りパケット信号に含まれる音声データを前記スピーカから出力し、かつ、前記マイクで得た音声データを含む前記第１の下りパケット信号を前記第１の玄関子機に送信し、
前記第２の玄関子機は、
カメラ、マイク及びスピーカを有し、該カメラで得た映像データ及び該マイクで得た音声データを含む第２の上りパケット信号を前記第２のドアホン親機に送信し、かつ、前記第２のドアホン親機から第２の下りパケット信号を受信してデータを再生し、前記第２の下りパケット信号に含まれる音声データを前記スピーカから出力し、
前記第２のドアホン親機は、
ディスプレイ部、マイク及びスピーカを有し、前記第２の玄関子機から前記第２の上りパケット信号を受信してデータを再生し、前記第２の上りパケット信号に含まれる映像データを前記ディスプレイ部で表示するとともに前記第２の上りパケット信号に含まれる音声データを前記スピーカから出力し、かつ、前記マイクで得た音声データを含む前記第２の下りパケット信号を前記第２の玄関子機に送信し、
前記スレーブ親機は、
映像データ及び音声データを含む第３の上りパケット信号を前記マスタ親機に送信し、かつ、前記マスタ親機から第３の下りパケット信号を受信してデータを再生し、前記第３の下りパケット信号に含まれる音声データを前記スピーカから出力し、
前記マスタ親機は、
前記スレーブ親機から前記第３の上りパケット信号を受信してデータを再生し、前記第３の上りパケット信号に含まれる映像データを前記ディスプレイ部で表示するとともに前記第３の上りパケット信号に含まれる音声データを前記スピーカから出力し、かつ、前記マイクで得た音声データを含む前記第３の下りパケット信号を前記子機に送信し、
前記スレーブ親機は、
前記２線ケーブルが正接続であるか逆接続であるかを判定し、
前記２線ケーブルが逆接続である場合、前記マスタ親機から受信した前記第３の下りパケット信号を反転してからデータの再生を行い、かつ、前記第３の上りパケット信号を反転してから前記マスタ親機に送信し、
前記マスタ親機は、
前記２線ケーブルが逆接続であっても、前記スレーブ親機から受信した前記第３の上りパケット信号を反転せずにデータの再生を行い、かつ、前記第３の下りパケット信号を反転せずに前記スレーブ親機に送信する、
ドアホンシステム。
【請求項１０】
第１の玄関子機および第１のドアホン親機を含む複数の端末間で時分割複信によりパケット信号を送受信する第１の通信ネットワークと、第２の玄関子機および第２のドアホン親機を含む複数の端末間で時分割複信によりパケット信号を送受信する第２の通信ネットワークと、を有し、前記第１のドアホン親機と前記第２のドアホン親機とが２線ケーブルを介して接続され、前記第１のドアホン親機と前記第２のドアホン親機の間で時分割複信によりパケット信号を送受信し、前記第１のドアホン親機及び前記第２のドアホン親機の一方がマスタ親機であり、他方がスレーブ親機であるドアホンシステムであって、
前記第１の玄関子機は、
カメラ、マイク及びスピーカを有し、該カメラで得た映像データ及び該マイクで得た音声データを含む第１の上りパケット信号を前記第１のドアホン親機に送信し、かつ、前記第１のドアホン親機から第１の下りパケット信号を受信してデータを再生し、前記第１の下りパケット信号に含まれる音声データを前記スピーカから出力し、
前記第１のドアホン親機は、
ディスプレイ部、マイク及びスピーカを有し、前記第１の玄関子機から前記第１の上りパケット信号を受信してデータを再生し、前記第１の上りパケット信号に含まれる映像データを前記ディスプレイ部で表示するとともに前記第１の上りパケット信号に含まれる音声データを前記スピーカから出力し、かつ、前記マイクで得た音声データを含む前記第１の下りパケット信号を前記第１の玄関子機に送信し、
前記第２の玄関子機は、
カメラ、マイク及びスピーカを有し、該カメラで得た映像データ及び該マイクで得た音声データを含む第２の上りパケット信号を前記第２のドアホン親機に送信し、かつ、前記第２のドアホン親機から第２の下りパケット信号を受信してデータを再生し、前記第２の下りパケット信号に含まれる音声データを前記スピーカから出力し、
前記第２のドアホン親機は、
ディスプレイ部、マイク及びスピーカを有し、前記第２の玄関子機から前記第２の上りパケット信号を受信してデータを再生し、前記第２の上りパケット信号に含まれる映像データを前記ディスプレイ部で表示するとともに前記第２の上りパケット信号に含まれる音声データを前記スピーカから出力し、かつ、前記マイクで得た音声データを含む前記第２の下りパケット信号を前記第２の玄関子機に送信し、
前記スレーブ親機は、
映像データ及び音声データを含む第３の上りパケット信号を前記マスタ親機に送信し、かつ、前記マスタ親機から第３の下りパケット信号を受信してデータを再生し、前記第３の下りパケット信号に含まれる音声データを前記スピーカから出力し、
前記マスタ親機は、
前記スレーブ親機から前記第３の上りパケット信号を受信してデータを再生し、前記第３の上りパケット信号に含まれる映像データを前記ディスプレイ部で表示するとともに前記第３の上りパケット信号に含まれる音声データを前記スピーカから出力し、かつ、前記マイクで得た音声データを含む前記第３の下りパケット信号を前記子機に送信し、
前記マスタ親機は、
前記２線ケーブルが正接続であるか逆接続であるかを判定し、
前記２線ケーブルが逆接続である場合、前記スレーブ親機から受信した前記第３の上りパケット信号を反転してからデータの再生を行い、かつ、前記第３の下りパケット信号を反転してから前記スレーブ親機に送信し、
前記スレーブ親機は、
前記２線ケーブルが逆接続であっても、前記マスタ親機から受信した前記第３の下りパケット信号を反転せずにデータの再生を行い、かつ、前記第３の上りパケット信号を反転せずに前記マスタ親機に送信する、
ドアホンシステム。
【請求項１１】
第１の玄関子機および第１のドアホン親機を含む複数の端末間で時分割複信によりパケット信号を送受信する第１の通信ネットワークと、第２の玄関子機および第２のドアホン親機を含む複数の端末間で時分割複信によりパケット信号を送受信する第２の通信ネットワークと、を有し、前記第１のドアホン親機と前記第２のドアホン親機とが２線ケーブルを介して接続され、前記第１のドアホン親機と前記第２のドアホン親機の間で時分割複信によりパケット信号を送受信し、前記第１のドアホン親機及び前記第２のドアホン親機の一方がマスタ親機であり、他方がスレーブ親機であるドアホンシステムであって、
前記第１の玄関子機は、
カメラ、マイク及びスピーカを有し、該カメラで得た映像データ及び該マイクで得た音声データを含む第１の上りパケット信号を前記第１のドアホン親機に送信し、かつ、前記第１のドアホン親機から第１の下りパケット信号を受信してデータを再生し、前記第１の下りパケット信号に含まれる音声データを前記スピーカから出力し、
前記第１のドアホン親機は、
ディスプレイ部、マイク及びスピーカを有し、前記第１の玄関子機から前記第１の上りパケット信号を受信してデータを再生し、前記第１の上りパケット信号に含まれる映像データを前記ディスプレイ部で表示するとともに前記第１の上りパケット信号に含まれる音声データを前記スピーカから出力し、かつ、前記マイクで得た音声データを含む前記第１の下りパケット信号を前記第１の玄関子機に送信し、
前記第２の玄関子機は、
カメラ、マイク及びスピーカを有し、該カメラで得た映像データ及び該マイクで得た音声データを含む第２の上りパケット信号を前記第２のドアホン親機に送信し、かつ、前記第２のドアホン親機から第２の下りパケット信号を受信してデータを再生し、前記第２の下りパケット信号に含まれる音声データを前記スピーカから出力し、
前記第２のドアホン親機は、
ディスプレイ部、マイク及びスピーカを有し、前記第２の玄関子機から前記第２の上りパケット信号を受信してデータを再生し、前記第２の上りパケット信号に含まれる映像データを前記ディスプレイ部で表示するとともに前記第２の上りパケット信号に含まれる音声データを前記スピーカから出力し、かつ、前記マイクで得た音声データを含む前記第２の下りパケット信号を前記第２の玄関子機に送信し、
前記スレーブ親機は、
映像データ及び音声データを含む第３の上りパケット信号を前記マスタ親機に送信し、かつ、前記マスタ親機から第３の下りパケット信号を受信してデータを再生し、前記第３の下りパケット信号に含まれる音声データを前記スピーカから出力し、
前記マスタ親機は、
前記スレーブ親機から前記第３の上りパケット信号を受信してデータを再生し、前記第３の上りパケット信号に含まれる映像データを前記ディスプレイ部で表示するとともに前記第３の上りパケット信号に含まれる音声データを前記スピーカから出力し、かつ、前記マイクで得た音声データを含む前記第３の下りパケット信号を前記子機に送信し、
前記スレーブ親機は、
前記２線ケーブルが正接続であるか逆接続であるかを判定し、
前記２線ケーブルが逆接続である場合、前記第３の上りパケット信号を反転してから前記マスタ親機に送信し、
前記２線ケーブルが逆接続であっても、前記マスタ親機から受信した前記第３の下りパケット信号を反転せずにデータの再生を行い、
前記マスタ親機は、
前記２線ケーブルが正接続であるか逆接続であるかを判定し、
前記２線ケーブルが逆接続である場合、前記第３の下りパケット信号を反転してから前記スレーブ親機に送信し、
前記２線ケーブルが逆接続であっても、前記スレーブ親機から受信した前記第３の上りパケット信号を反転せずにデータの再生を行う、
ドアホンシステム。
【請求項１２】
第１の玄関子機および第１のドアホン親機を含む複数の端末間で時分割複信によりパケット信号を送受信する第１の通信ネットワークと、第２の玄関子機および第２のドアホン親機を含む複数の端末間で時分割複信によりパケット信号を送受信する第２の通信ネットワークと、を有し、前記第１のドアホン親機と前記第２のドアホン親機とが２線ケーブルを介して接続され、前記第１のドアホン親機と前記第２のドアホン親機の間で時分割複信によりパケット信号を送受信し、前記第１のドアホン親機及び前記第２のドアホン親機の一方がマスタ親機であり、他方がスレーブ親機であるドアホンシステムであって、
前記第１の玄関子機は、
カメラ、マイク及びスピーカを有し、該カメラで得た映像データ及び該マイクで得た音声データを含む第１の上りパケット信号を前記第１のドアホン親機に送信し、かつ、前記第１のドアホン親機から第１の下りパケット信号を受信してデータを再生し、前記第１の下りパケット信号に含まれる音声データを前記スピーカから出力し、
前記第１のドアホン親機は、
ディスプレイ部、マイク及びスピーカを有し、前記第１の玄関子機から前記第１の上りパケット信号を受信してデータを再生し、前記第１の上りパケット信号に含まれる映像データを前記ディスプレイ部で表示するとともに前記第１の上りパケット信号に含まれる音声データを前記スピーカから出力し、かつ、前記マイクで得た音声データを含む前記第１の下りパケット信号を前記第１の玄関子機に送信し、
前記第２の玄関子機は、
カメラ、マイク及びスピーカを有し、該カメラで得た映像データ及び該マイクで得た音声データを含む第２の上りパケット信号を前記第２のドアホン親機に送信し、かつ、前記第２のドアホン親機から第２の下りパケット信号を受信してデータを再生し、前記第２の下りパケット信号に含まれる音声データを前記スピーカから出力し、
前記第２のドアホン親機は、
ディスプレイ部、マイク及びスピーカを有し、前記第２の玄関子機から前記第２の上りパケット信号を受信してデータを再生し、前記第２の上りパケット信号に含まれる映像データを前記ディスプレイ部で表示するとともに前記第２の上りパケット信号に含まれる音声データを前記スピーカから出力し、かつ、前記マイクで得た音声データを含む前記第２の下りパケット信号を前記第２の玄関子機に送信し、
前記スレーブ親機は、
映像データ及び音声データを含む第３の上りパケット信号を前記マスタ親機に送信し、かつ、前記マスタ親機から第３の下りパケット信号を受信してデータを再生し、前記第３の下りパケット信号に含まれる音声データを前記スピーカから出力し、
前記マスタ親機は、
前記スレーブ親機から前記第３の上りパケット信号を受信してデータを再生し、前記第３の上りパケット信号に含まれる映像データを前記ディスプレイ部で表示するとともに前記第３の上りパケット信号に含まれる音声データを前記スピーカから出力し、かつ、前記マイクで得た音声データを含む前記第３の下りパケット信号を前記子機に送信し、
前記スレーブ親機は、
前記２線ケーブルが正接続であるか逆接続であるかを判定し、
前記２線ケーブルが逆接続であっても、前記第３の上りパケット信号を反転せずに前記マスタ親機に送信し、
前記２線ケーブルが逆接続である場合、前記マスタ親機から受信した前記第３の下りパケット信号を反転してからデータの再生を行い、
前記マスタ親機は、
前記２線ケーブルが正接続であるか逆接続であるかを判定し、
前記２線ケーブルが逆接続であっても、前記第３の下りパケット信号を反転せずに前記スレーブ親機に送信し、
前記２線ケーブルが逆接続である場合、前記スレーブ親機から受信した前記第３の上りパケット信号を反転してからデータの再生を行う、
ドアホンシステム。
【請求項１３】
前記スレーブ親機あるいは前記マスタ親機は、同期通信時の同期信号あるいは非同期時の割り込み信号を用いて前記２線ケーブルが正接続であるか逆接続であるかを判定する、
請求項９から１２のいずれか一項に記載のドアホンシステム。
【請求項１４】
前記スレーブ親機あるいは前記マスタ親機は、
前記２線ケーブルが正接続である場合に既知である第１のシンクパターン、および、前記第１のシンクパターンが反転された第２のシンクパターンを記憶し、
受信信号から検出されたシンクパターンが前記第１のシンクパターンと一致した場合に前記２線ケーブルが正接続であると判断し、前記検出されたシンクパターンが前記第２のシンクパターンと一致した場合に前記２線ケーブルが逆接続であると判定する、
請求項９から１３のいずれか一項に記載のドアホンシステム。
【請求項１５】
ディスプレイ部、マイク及びスピーカを有する親機と、カメラ、マイク及びスピーカを有する子機が２線ケーブルを介して接続され、前記親機と前記子機の間で時分割複信によりパケット信号を送受信するドアホンシステムの通信方法であって、
前記親機が、
前記２線ケーブルが正接続であるか逆接続であるかを判定し、
前記マイクで得た音声データを含む下りパケット信号を、前記２線ケーブルが正接続である場合には反転せずに前記子機に送信し、前記２線ケーブルが逆接続である場合、反転してから前記子機に送信し、
前記子機が、
前記親機から前記下りパケット信号を受信してデータを反転せずに再生し、
前記下りパケット信号に含まれる音声データを前記スピーカから出力し、
該カメラで得た映像データ及び該マイクで得た音声データを含む上りパケット信号を反転せずに前記親機に送信し、
前記親機が、
前記子機からの上りパケット信号を受信し、前記２線ケーブルが正接続である場合には前記上りパケット信号を反転せずにデータの再生を行い、前記２線ケーブルが逆接続である場合には、前記上りパケット信号を反転してからデータの再生を行い、
前記上りパケット信号に含まれる映像データを前記ディスプレイ部で表示するとともに前記上りパケット信号に含まれる音声データを前記スピーカから出力する、
ドアホンシステムの通信方法。
【請求項１６】
ディスプレイ部、マイク及びスピーカを有する親機と、カメラ、マイク及びスピーカを有する子機が２線ケーブルを介して接続され、前記親機と前記子機の間で時分割複信によりパケット信号を送受信するドアホンシステムの通信方法であって、
前記子機が、
前記２線ケーブルが正接続であるか逆接続であるかを判定し、
該カメラで得た映像データ及び該マイクで得た音声データを含む上りパケット信号を、前記２線ケーブルが正接続である場合には反転せずに前記親機に送信し、前記２線ケーブルが逆接続である場合には反転してから前記親機に送信し、
前記親機が、
前記２線ケーブルが正接続であるか逆接続であるかを判定し、
前記上りパケット信号を受信し反転せずにデータの再生を行い、前記上りパケット信号に含まれる映像データを前記ディスプレイ部で表示するとともに前記上りパケット信号に含まれる音声データを前記スピーカから出力し、
前記マイクで得た音声データを含む下りパケット信号を反転せずに前記子機に送信し、
前記子機が、
前記親機から前記下りパケット信号を受信してデータを反転せずに再生し、
前記下りパケット信号に含まれる音声データを前記スピーカから出力する、
ドアホンシステムの通信方法。
【請求項１７】
ディスプレイ部、マイク及びスピーカを有する親機と、カメラ、マイク及びスピーカを有する子機が２線ケーブルを介して接続され、前記親機と前記子機の間で時分割複信によりパケット信号を送受信するドアホンシステムの通信方法であって、
前記子機が、
前記２線ケーブルが正接続であるか逆接続であるかを判定し、
該カメラで得た映像データ及び該マイクで得た音声データを含む上りパケット信号を反転せずに前記親機に送信し、
前記親機が、
前記２線ケーブルが正接続であるか逆接続であるかを判定し、
前記上りパケット信号を受信し、前記２線ケーブルが正接続である場合には前記上りパケット信号を反転せずにデータの再生を行い、前記２線ケーブルが逆正接続である場合には前記上りパケット信号を反転してデータの再生を行い、
前記上りパケット信号に含まれる映像データを前記ディスプレイ部で表示するとともに前記上りパケット信号に含まれる音声データを前記スピーカから出力し、
前記マイクで得た音声データを含む下りパケット信号を反転せずに前記子機に送信し、
前記子機が、
前記親機から前記下りパケット信号を受信して、前記２線ケーブルが正接続である場合には前記下りパケット信号を反転せずにデータの再生を行い、前記２線ケーブルが逆正接続である場合には前記下りパケット信号を反転してデータの再生を行い、
前記下りパケット信号に含まれる音声データを前記スピーカから出力する、
ドアホンシステムの通信方法。
【請求項１８】
カメラ、マイク及びスピーカを有する第１の玄関子機およびディスプレイ部、マイク及びスピーカを有する第１のドアホン親機を含む複数の端末間で時分割複信によりパケット信号を送受信する第１の通信ネットワークと、カメラ、マイク及びスピーカを有する第２の玄関子機およびディスプレイ部、マイク及びスピーカを有する第２のドアホン親機を含む複数の端末間で時分割複信によりパケット信号を送受信する第２の通信ネットワークと、を有し、前記第１のドアホン親機と前記第２のドアホン親機とが２線ケーブルを介して接続され、前記第１のドアホン親機と前記第２のドアホン親機の間で時分割複信によりパケット信号を送受信し、前記第１のドアホン親機及び前記第２のドアホン親機の一方がマスタ親機であり、他方がスレーブ親機であるドアホンシステムの通信方法であって、
前記スレーブ親機が、
前記２線ケーブルが正接続であるか逆接続であるかを判定し、
該カメラで得た映像データ及び該マイクで得た音声データを含む上りパケット信号を、前記２線ケーブルが正接続である場合には反転せずに前記マスタ親機に送信し、前記２線ケーブルが逆接続である場合には反転してから前記マスタ親機に送信し、
前記マスタ親機が、
前記２線ケーブルが正接続であるか逆接続であるかを判定し、
前記上りパケット信号を受信し反転せずにデータの再生を行い、前記上りパケット信号に含まれる映像データを前記ディスプレイ部で表示するとともに前記上りパケット信号に含まれる音声データを前記スピーカから出力し、
前記マイクで得た音声データを含む下りパケット信号を反転せずに前記スレーブ親機に送信し、
前記スレーブ親機が、
前記マスタ親機から前記下りパケット信号を受信して、前記２線ケーブルが正接続である場合には前記下りパケットを反転せずに再生し、前記２線ケーブルが逆接続である場合には前記下りパケットを反転して再生し、
前記下りパケット信号に含まれる音声データを前記スピーカから出力する、
ドアホンシステムの通信方法。
【請求項１９】
カメラ、マイク及びスピーカを有する第１の玄関子機およびディスプレイ部、マイク及びスピーカを有する第１のドアホン親機を含む複数の端末間で時分割複信によりパケット信号を送受信する第１の通信ネットワークと、カメラ、マイク及びスピーカを有する第２の玄関子機およびディスプレイ部、マイク及びスピーカを有する第２のドアホン親機を含む複数の端末間で時分割複信によりパケット信号を送受信する第２の通信ネットワークと、を有し、前記第１のドアホン親機と前記第２のドアホン親機とが２線ケーブルを介して接続され、前記第１のドアホン親機と前記第２のドアホン親機の間で時分割複信によりパケット信号を送受信し、前記第１のドアホン親機及び前記第２のドアホン親機の一方がマスタ親機であり、他方がスレーブ親機であるドアホンシステムの通信方法であって、
前記マスタ親機が、
前記２線ケーブルが正接続であるか逆接続であるかを判定し、
前記マイクで得た音声データを含む下りパケット信号を、前記２線ケーブルが正接続である場合には反転せずに前記スレーブ親機に送信し、前記２線ケーブルが逆接続である場合、反転してから前記スレーブ親機に送信し、
前記スレーブ親機が、
前記マスタ親機から前記下りパケット信号を受信してデータを反転せずに再生し、
前記下りパケット信号に含まれる音声データを前記スピーカから出力し、
該カメラで得た映像データ及び該マイクで得た音声データを含む上りパケット信号を反転せずに前記マスタ親機に送信し、
前記マスタ親機が、
前記スレーブ親機からの上りパケット信号を受信し、前記２線ケーブルが正接続である場合には前記上りパケット信号を反転せずにデータの再生を行い、前記２線ケーブルが逆接続である場合には、前記上りパケット信号を反転してからデータの再生を行い、
前記上りパケット信号に含まれる映像データを前記ディスプレイ部で表示するとともに前記上りパケット信号に含まれる音声データを前記スピーカから出力する、
ドアホンシステムの通信方法。
【請求項２０】
カメラ、マイク及びスピーカを有する第１の玄関子機およびディスプレイ部、マイク及びスピーカを有する第１のドアホン親機を含む複数の端末間で時分割複信によりパケット信号を送受信する第１の通信ネットワークと、カメラ、マイク及びスピーカを有する第２の玄関子機およびディスプレイ部、マイク及びスピーカを有する第２のドアホン親機を含む複数の端末間で時分割複信によりパケット信号を送受信する第２の通信ネットワークと、を有し、前記第１のドアホン親機と前記第２のドアホン親機とが２線ケーブルを介して接続され、前記第１のドアホン親機と前記第２のドアホン親機の間で時分割複信によりパケット信号を送受信し、前記第１のドアホン親機及び前記第２のドアホン親機の一方がマスタ親機であり、他方がスレーブ親機であるドアホンシステムの通信方法であって、
前記スレーブ親機が、
前記２線ケーブルが正接続であるか逆接続であるかを判定し、
該カメラで得た映像データ及び該マイクで得た音声データを含む上りパケット信号を、前記２線ケーブルが正接続である場合には反転せずに前記マスタ親機に送信し、前記２線ケーブルが逆接続である場合には反転してから前記マスタ親機に送信し、
前記マスタ親機が、
前記２線ケーブルが正接続であるか逆接続であるかを判定し、
前記上りパケット信号を受信し反転せずにデータの再生を行い、前記上りパケット信号に含まれる映像データを前記ディスプレイ部で表示するとともに前記上りパケット信号に含まれる音声データを前記スピーカから出力し、
前記マイクで得た音声データを含む下りパケット信号を反転せずに前記スレーブ親機に送信し、
前記スレーブ親機が、
前記マスタ親機から前記下りパケット信号を受信してデータを反転せずに再生し、
前記下りパケット信号に含まれる音声データを前記スピーカから出力する、
ドアホンシステムの通信方法。
【請求項２１】
カメラ、マイク及びスピーカを有する第１の玄関子機およびディスプレイ部、マイク及びスピーカを有する第１のドアホン親機を含む複数の端末間で時分割複信によりパケット信号を送受信する第１の通信ネットワークと、カメラ、マイク及びスピーカを有する第２の玄関子機およびディスプレイ部、マイク及びスピーカを有する第２のドアホン親機を含む複数の端末間で時分割複信によりパケット信号を送受信する第２の通信ネットワークと、を有し、前記第１のドアホン親機と前記第２のドアホン親機とが２線ケーブルを介して接続され、前記第１のドアホン親機と前記第２のドアホン親機の間で時分割複信によりパケット信号を送受信し、前記第１のドアホン親機及び前記第２のドアホン親機の一方がマスタ親機であり、他方がスレーブ親機であるドアホンシステムの通信方法であって、
前記スレーブ親機が、
前記２線ケーブルが正接続であるか逆接続であるかを判定し、
該カメラで得た映像データ及び該マイクで得た音声データを含む上りパケット信号を反転せずに前記マスタ親機に送信し、
前記マスタ親機が、
前記２線ケーブルが正接続であるか逆接続であるかを判定し、
前記上りパケット信号を受信し、前記２線ケーブルが正接続である場合には前記上りパケット信号を反転せずにデータの再生を行い、前記２線ケーブルが逆正接続である場合には前記上りパケット信号を反転してデータの再生を行い、
前記上りパケット信号に含まれる映像データを前記ディスプレイ部で表示するとともに前記上りパケット信号に含まれる音声データを前記スピーカから出力し、
前記マイクで得た音声データを含む下りパケット信号を反転せずに前記スレーブ親機に送信し、
前記スレーブ親機が、
前記マスタ親機から前記下りパケット信号を受信して、前記２線ケーブルが正接続である場合には前記下りパケット信号を反転せずにデータの再生を行い、前記２線ケーブルが逆正接続である場合には前記下りパケット信号を反転してデータの再生を行い、
前記下りパケット信号に含まれる音声データを前記スピーカから出力する、
ドアホンシステムの通信方法。
【手続補正２】
【補正対象書類名】明細書
【補正対象項目名】０００７
【補正方法】変更
【補正の内容】
【０００７】
本開示のドアホンシステムは、親機と子機とが２線ケーブルを介して接続され、前記親機と前記子機の間で時分割複信によりパケット信号を送受信するドアホンシステムであって、前記子機は、カメラ、マイク及びスピーカを有し、該カメラで得た映像データ及び該マイクで得た音声データを含む上りパケット信号を前記親機に送信し、かつ、前記親機から下りパケット信号を受信してデータを再生し、前記下りパケット信号に含まれる音声データを前記スピーカから出力し、前記親機は、ディスプレイ部、マイク及びスピーカを有し、前記子機から前記上りパケット信号を受信してデータを再生し、前記上りパケット信号に含まれる映像データを前記ディスプレイ部で表示するとともに前記上りパケット信号に含まれる音声データを前記スピーカから出力し、かつ、前記マイクで得た音声データを含む前記下りパケット信号を前記子機に送信し、前記親機は、前記２線ケーブルが正接続であるか逆接続であるかを判定し、前記２線ケーブルが逆接続である場合、前記子機から受信した前記上りパケット信号を反転してからデータの再生を行い、かつ、前記下りパケット信号を反転してから前記子機に送信し、前記子機は、前記２線ケーブルが逆接続であっても、前記親機から受信した前記下りパケット信号を反転せずにデータの再生を行い、かつ、前記上りパケット信号を反転せずに前記親機に送信する。
【手続補正３】
【補正対象書類名】明細書
【補正対象項目名】０００８
【補正方法】変更
【補正の内容】
【０００８】
本開示のドアホンシステムの通信方法は、ディスプレイ部、マイク及びスピーカを有する親機と、カメラ、マイク及びスピーカを有する子機が２線ケーブルを介して接続され、前記親機と前記子機の間で時分割複信によりパケット信号を送受信するドアホンシステムの通信方法であって、前記親機が、前記２線ケーブルが正接続であるか逆接続であるかを判定し、前記マイクで得た音声データを含む下りパケット信号を、前記２線ケーブルが正接続である場合には反転せずに前記子機に送信し、前記２線ケーブルが逆接続である場合、反転してから前記子機に送信し、前記子機が、前記親機から前記下りパケット信号を受信してデータを反転せずに再生し、前記下りパケット信号に含まれる音声データを前記スピーカから出力し、該カメラで得た映像データ及び該マイクで得た音声データを含む上りパケット信号を反転せずに前記親機に送信し、前記親機が、前記子機からの上りパケット信号を受信し、前記２線ケーブルが正接続である場合には前記上りパケット信号を反転せずにデータの再生を行い、前記２線ケーブルが逆接続である場合には、前記上りパケット信号を反転してからデータの再生を行い、前記上りパケット信号に含まれる映像データを前記ディスプレイ部で表示するとともに前記上りパケット信号に含まれる音声データを前記スピーカから出力する。